(57)【要約】【課題】容器の携行利便性を向上させ、さらに取っ手の利用コストを低減させることができる取っ手を提供することにある。【解決手段】ベースを含む取っ手であって、前記ベースは二つの端縁及び二つの側縁を含み、前記二つの端縁はそれぞれ前記ベースの両端に形成され、かつ各前記側縁の両端はそれぞれ前記二つの端縁に連接され、前記ベース上に少なくとも一つのカット部が開設され、前記ベースに二つの載せ部及び一つのグリップ部を形成させるように、少なくとも一つのカット部はそれぞれ前記ベースの一つの端縁に近接する位置から前記ベースのもう一つの端縁に近接する位置まで延伸することを特徴とする取っ手。【選択図】図７
2016531055.tif 000002
【特許請求の範囲】
【請求項１】
ベースを含む取っ手であって、前記ベースは二つの端縁及び二つの側縁を含み、前記二つの端縁はそれぞれ前記ベースの両端に形成され、かつ各前記側縁の両端はそれぞれ前記二つの端縁に連接され、前記ベース上に二つのカット部が間隔を取って開設され、前記二つのカット部はそれぞれベースの一つの端縁に近接する位置からベースのもう一つの端縁に近接する位置まで延伸し、かつ前記二つのカット部はそれぞれ二つの側縁と間隔を取って設置されることを特徴とする取っ手。
【請求項２】
前記ベースが互いに直交する第一方向と第二方向とを有し、前記二つの端縁がそれぞれ前記ベースにて前記第一方向における両端に形成され、前記二つの側縁がそれぞれ前記ベースにて前記第二方向における両側に形成され、前記二つのカット部がそれぞれ前記第一方向に延伸し、かつ前記二つのカット部が前記第二方向にて前記二つの側縁との間に間隔を取って設置されることを特徴とする請求項１に記載の取っ手。
【請求項３】
各前記側縁とそれに隣接するカット部との間に載せ部が形成され、前記二つのカット部間にグリップ部が形成されることを特徴とする請求項２に記載の取っ手。
【請求項４】
前記取っ手が第一状態を有し、前記第一状態において前記ベースが平面状に形成され、前記二つの載せ部は前記第二方向に両側へ引っ張られ、前記取っ手を前記第一状態から第二状態へ変化させ、前記載せ部は隣接するカット部に対向する側に載せ端縁が形成され、前記二つの載せ部間に開口が形成されることを特徴とする請求項３に記載の取っ手。
【請求項５】
前記取っ手が容器に結合するのに用いられ、前記容器が拡径部を有し、前記拡径部が前記二つの載せ部と前記グリップ部との間に位置決めされ、前記二つの載せ部は前記容器の外表面に当接し、且つ前記二つの載せ部の載せ端縁がそれぞれ前記拡径部に係止することを特徴とする請求項４に記載の取っ手。
【請求項６】
前記カット部の両端にそれぞれ延伸部が形成され、前記二つのカット部の延伸部の間隔が前記二つのカット部から隣接する端縁に向かって次第に広がるように、前記延伸部が前記第一方向に前記カット部から隣接する側縁へ延伸することを特徴とする請求項２、３、４または５に記載の取っ手。
【請求項７】
前記ベースの二つの端縁にはそれぞれ補強部が連接され、前記補強部が同時に前記二つの載せ部及び前記グリップ部に結合されることを特徴とする請求項３、４または５に記載の取っ手。
【請求項８】
前記ベースが紙により形成され、前記第二状態において、前記載せ部における前記ベースの二つの端縁に近接する位置にそれぞれ折り目が形成され、前記カット部の両端にそれぞれ延伸部が形成され、前記二つのカット部の延伸部間の間隔が前記二つのカット部から隣接する端縁に向かって次第に狭まるように、前記延伸部が前記第一方向に前記カット部から前記ベースの中央へ延伸することを特徴とする請求項４または５に記載の取っ手。
【請求項９】
ベースを含む取っ手であって、前記ベースは二つの端縁及び二つの側縁を含み、前記二つの端縁はそれぞれ前記ベースの両端に形成され、かつ各前記側縁の両端はそれぞれ前記二つの端縁に連接され、前記ベース上にカット部が開設され、前記カット部は前記ベースの一つの端縁に近接する位置から前記ベースのもう一つの端縁に近接する位置まで延伸し、前記ベースの一つの端縁にグリップ部が結合されることを特徴とする取っ手。
【請求項１０】
前記ベースが互いに直交する第一方向と第二方向とを有し、前記二つの端縁がそれぞれ前記ベースにて前記第一方向における両端に形成され、前記二つの側縁がそれぞれ前記ベースにて前記第二方向における両側に形成され、前記カット部が前記第一方向に延伸し、前記カット部は前記第二方向における両側にそれぞれ載せ部が形成されることを特徴とする請求項９に記載の取っ手。
【請求項１１】
前記取っ手が第一状態を有し、前記第一状態において、前記ベースが平面状に形成され、前記ベースを環状構造に形成させるように、前記グリップ部が前記ベースのもう一つの端縁に結合することができ、かつ前記取っ手の二つの載せ部が前記第二方向に両側へ引っ張られ、前記取っ手を前記第一状態から第二状態へ変化させることができ、前記載せ部は、隣接するカット部に対向する側に載せ端縁が形成され、かつ、前記二つの載せ部間に開口が形成されることを特徴とする請求項１０に記載の取っ手。
【請求項１２】
前記取っ手が容器に結合するのに用いられ、前記容器が拡径部を有し、前記拡径部が前記二つの載せ部と前記グリップ部の間に位置決めされ、前記二つの載せ部は前記容器の外表面に当接し、且つ前記二つの載せ部の載せ端縁がそれぞれ前記拡径部に係止することを特徴とする請求項１１に記載の取っ手。
【請求項１３】
前記グリップ部において前記ベースから離れる端に第一結合部が設置され、前記ベースのもう一つの端縁に第二結合部が連接され、前記第一結合部と前記第二結合部とが互いに結合し、前記グリップ部を前記ベースのもう一つの端縁に結合させ、前記グリップ部を前記環状構造に形成させることを特徴とする請求項１１に記載の取っ手。
【請求項１４】
前記カット部の両端にそれぞれ案内孔が設置されることを特徴とする請求項９、１０、１１、１２または１３に記載の取っ手。
【請求項１５】
前記カット部の両端にそれぞれ二つの先行折り線が連接され、かつ前記二つの先行折り線がそれぞれ前記第一方向に前記カット部から前記二つの側縁へ延伸し、前記第二状態において、前記二つの先行折り線が前記載せ部において前記ベースの二つの端縁に近接する位置にそれぞれ折り目を形成することができることを特徴とする請求項１１、１２または１３に記載の取っ手。
【請求項１６】
前記ベースの二つの端縁にそれぞれ第一グリップ部及び第二グリップ部が結合され、前記第一グリップ部及び第二グリップ部に貫通孔がそれぞれ設置され、前記ベースを前記環状構造に形成させるように、前記第一グリップ部及び前記第二グリップ部が互いに位置合わせされることを特徴とする請求項１１または１２に記載の取っ手。
【請求項１７】
前記第一グリップ部或いは前記第二グリップ部にソケットが設置され、かつ前記第二グリップ部の貫通孔の周縁に係止片が結合され、前記係止片が前記第一グリップ部の貫通孔を通過し、前記係止片に二つの貫通溝が開設され、前記二つの貫通溝がそれぞれ前記係止片を貫通することを特徴とする請求項１６に記載の取っ手。
【請求項１８】
前記ベースに隔離溝が設置され、前記ベースは前記第二方向における両側にそれぞれカット部が開設され、各前記カット部は前記第二方向における両側にそれぞれ載せ部が形成されることを特徴とする請求項１１または１２に記載の取っ手。
【請求項１９】
さらにもう一つのベースを含み、各前記ベースの二つの端縁にそれぞれ第三グリップ部及び第四グリップ部が結合され、前記第三グリップ部は差込隙間を有し、前記差込隙間は前記の第二方向に延伸して前記第三グリップ部を貫通し、前記第四グリップ部は貫通孔が設置され、前記二つのベースが結合される第四グリップ部は互いに連接し、かつ前記二つの第四グリップ部の連接箇所は中心線を形成し、前記二つの第四グリップ部を前記中心線に沿って折り合わせることができ、かつ前記二つの第四グリップ部はそれぞれ前記二つの第三グリップ部の差込隙間を通過することができ、前記二つの第四グリップ部の貫通孔が互いに位置合わせされて前記二つのベースを前記環状構造に形成されることを特徴とする請求項１８に記載の取っ手。
【請求項２０】
前記グリップ部は前記第二方向における両側にそれぞれ先行折り線が設置され、前記二つの先行折り線は開口がそれぞれ前記グリップ部の外側に向かう曲線状に形成され、前記グリップ部は前記二つの先行折り線間に剥離線が設置されることを特徴とする請求項１０、１１または１２に記載の取っ手。
【発明の詳細な説明】
【技術分野】
【０００１】
本発明は取っ手に関し、特に、容器に結合され、利用者が便利に容器を持ち上げることができる取っ手に関する。
【背景技術】
【０００２】
市販の様々な食品は容器に入れられているが、容器は高温、常温或いは低温の内容物を入れるのに用いられることがあり、高温の内容物を入れた場合、利用者が前記容器を取ろうとして容器の外表面に触る際に、気をつけなければ火傷していしまう可能性がある。一方、容器に低温の内容物を入れた場合、空気に含まれる水気が凝縮して容器の外表面に付着するため、利用者が容器を取ろうとして、容器の外表面に触る際に、容器の外表面に凝縮された水玉が利用者の手を濡らしてしまう等、利用者にとって様々な不便をもたらすものであった。
【発明の概要】
【発明が解決しようとする課題】
【０００３】
利用者が高温或いは低温の内容物を入れた容器を便利に取ったり携えたりすることができるように、これまでは、業者は容器をポリ袋や紙袋に入れて利用者に携えさせていた。しかしながら、近年になってエコ意識が高まり、消費者及び業者両方のポリ袋に対する使用意欲が低下しつつある。再生可能な紙袋は環境問題に対する大衆の懸念を解決することはできるが、コストが高すぎ、かつ、容器に低温の内容物を入れた際、紙袋が水濡れ等によって破れてしまうので、紙袋で容器を包む場合には様々な不便を伴うものであった。
【０００４】
従って、本発明は、社会において普遍的にポリ袋の使用削減を提唱する状況で、コストが低く、かつ利用者が便利に高温或いは低温の内容物を入れた容器を持ち上げることができる取っ手を提供することを目的とするものである。
【０００５】
本発明は、ベースを含み、前記ベースには少なくとも一個のカット部が開設され、前記ベースに二つの載せ部及び一つのグリップ部を形成させ、容器に結合することにより、容器の携行時における利便性を向上させる効果を有する容器を持つことができる取っ手を提供することを目的とするものである。
【０００６】
本発明はさらに、取っ手の利用コストを低減させる効果に達するために、容器に結合する前に前記ベースが平面状に形成される取っ手を提供することを目的とするものである。
【課題を解決するための手段】
【０００７】
上述した目的に達するために、本発明が運用する技術的手段は下記内容を含む。
【０００８】
本発明による取っ手は、ベースを含む取っ手であって、前記ベースは二つの端縁及び二つの側縁を含み、前記二つの端縁はそれぞれ前記ベースの両端に形成され、かつ前記各側縁の両端はそれぞれ前記二つの端縁に連接され、前記ベース上に二つのカット部が間隔を取って開設され、前記二つのカット部はそれぞれ前記ベースの一つの端縁に近接する位置から前記ベースのもう一つの端縁に近接する位置まで延伸し、かつ前記二つのカット部はそれぞれ前記二つの側縁と間隔を取って設置される。
【０００９】
本発明による取っ手はまた以下のように構成することもできる。前記取っ手は、前記ベースが互いに直交する第一方向と第二方向とを有し、前記二つの端縁がそれぞれ前記ベースにて前記第一方向における両端に形成され、前記二つの側縁がそれぞれ前記ベースにて前記第二方向における両側に形成され、前記二つのカット部がそれぞれ前記第一方向に延伸し、かつ前記二つのカット部が前記第二方向にて前記二つの側縁と間隔を取って設置される。
【００１０】
前記取っ手は、各前記側縁とそれに隣接するカット部との間に載せ部を形成し、かつ前記二つのカット部の間にグリップ部を形成する。
【００１１】
前記取っ手は、第一状態を有し、前記第一状態において、前記ベースが平面状に形成され、前記取っ手の二つの載せ部が前記第二方向に両側へ引っ張られ、前記取っ手を前記第一状態から第二状態へ変化させることができ、前記載せ部は、隣接するカット部に対向する側に載せ端縁が形成され、かつ、前記二つの載せ部の間に開口が形成されることを特徴とする。
【００１２】
前記取っ手は、容器に結合するのに用いられ、前記容器が拡径部を有し、前記拡径部が前記二つの載せ部と前記グリップ部の間に位置決めされ、前記二つの載せ部は前記容器の外表面に当接し、且つ前記二つの載せ部の載せ端縁がそれぞれ前記拡径部に係止することを特徴とする。
【００１３】
前記取っ手は、前記カット部の両端にそれぞれ延伸部が形成され、前記二つのカット部の延伸部の間隔が前記二つのカット部から隣接する端縁に向かって次第に広がるように、前記延伸部が前記第一方向に前記カット部から隣接する側縁へ延伸することを特徴とする。
【００１４】
前記取っ手は、前記ベースの二つの端縁はそれぞれ補強部が連接され、前記補強部が同時に前記二つの載せ部及び前記グリップ部に結合されることを特徴とする。
【００１５】
前記取っ手は、前記ベースが紙からなり、前記第二状態において、前記載せ部において前記ベースの二つの端縁に近接する位置はそれぞれ折り目が形成され、前記カット部の両端にそれぞれ延伸部が形成され、前記二つのカット部の延伸部の間隔が前記二つのカット部から隣接する端縁に向かって次第に狭まるように、前記延伸部が前記第一方向に前記カット部から前記ベースの中央へ延伸することを特徴とする。
【００１６】
さらに、本発明による取っ手は、ベースを含む取っ手であって、前記ベースは二つの端縁及び二つの側縁を含み、前記二つの端縁はそれぞれ前記ベースの両端に形成され、かつ各前記側縁の両端はそれぞれ前記二つの端縁に連接され、前記ベース上にカット部が開設され、前記カット部は前記ベースの一つの端縁に近接する位置から前記ベースのもう一つの端縁に近接する位置まで延伸し、前記ベースの一つの端縁にグリップ部が結合される。
【００１７】
また、本発明による取っ手は以下のように構成することもできる。前記取っ手は、前記ベースが互いに直交する第一方向と第二方向とを有し、前記二つの端縁がそれぞれ前記ベースにて前記第一方向における両端に形成され、前記二つの側縁がそれぞれ前記ベースにて前記第二方向における両側に形成され、前記カット部が前記第一方向に延伸し、前記カット部は前記第二方向における両側にそれぞれ載せ部が形成される。
【００１８】
前記取っ手は、第一状態を有し、前記第一状態において、前記ベースが平面状に形成され、前記ベースを環状構造に形成させるように、前記グリップ部が前記ベースのもう一つの端縁に結合することができ、かつ前記取っ手の二つの載せ部が前記第二方向に両側へ引っ張られ、前記取っ手を前記第一状態から第二状態へ変化させることができ、前記載せ部は、隣接するカット部に対向する側に載せ端縁が形成され、かつ、前記二つの載せ部の間に開口が形成される。
【００１９】
前記取っ手は、容器に結合するのに用いられ、前記容器が拡径部を有し、前記拡径部が前記二つの載せ部と前記グリップ部の間に位置決めされ、前記二つの載せ部は前記容器の外表面に当接し、且つ前記二つの載せ部の載せ端縁がそれぞれ前記拡径部に係止する。
【００２０】
前記取っ手は、前記グリップ部において前記ベースから離れる端に第一結合部が設置され、前記ベースのもう一つの端縁に第二結合部が連接され、前記第一結合部と前記第二結合部とが互いに結合し、前記グリップ部を前記ベースのもう一つの端縁に結合させ、前記グリップ部を前記環状構造に形成させる。
【００２１】
前記取っ手は、前記カット部の両端にそれぞれ案内孔が設置される。
【００２２】
前記取っ手は、前記カット部の両端にそれぞれ二つの先行折り線が連接され、かつ前記二つの先行折り線がそれぞれ前記第一方向に前記カット部から前記二つの側縁へ延伸し、前記第二状態において、前記二つの先行折り線が前記載せ部において前記ベースの二つの端縁に近接する位置にそれぞれ折り目を形成する。
【００２３】
前記取っ手は、前記ベースの二つの端縁にそれぞれ第一グリップ部及び第二グリップ部が結合され、前記第一グリップ部及び前記第二グリップ部にそれぞれ貫通孔が設置され、前記ベースを前記環状構造に形成させるように、前記第一グリップ部及び前記第二グリップ部が互いに位置合わせする。
【００２４】
前記取っ手は、前記第一グリップ部或いは前記第二グリップ部にソケットが設置され、かつ前記第二グリップ部の貫通孔の周縁に係止片が結合され、前記係止片が前記第一グリップ部の貫通孔を通過し、前記係止片に二つの貫通溝が開設され、前記二つの貫通溝がそれぞれ前記係止片を貫通する。
【００２５】
前記取っ手は、前記ベースに隔離溝が設置され、前記ベースは前記第二方向における両側にそれぞれカット部が開設され、各前記カット部は前記第二方向における両側にそれぞれ載せ部が形成される。
【００２６】
前記取っ手は、さらにもう一つのベースを含み、各前記ベースの二つの端縁にそれぞれ第三グリップ部及び第四グリップ部が結合され、前記第三グリップ部は差込隙間を有し、前記差込隙間は前記の第二方向に延伸して前記第三グリップ部を貫通し、前記第四グリップ部は貫通孔が設置され、前記二つのベースが結合される第四グリップ部は互いに連接し、かつ前記二つの第四グリップ部の連接箇所は中心線を形成し、前記二つの第四グリップ部を前記中心線に沿って折り合わせることができ、かつ前記二つの第四グリップ部はそれぞれ前記二つの第三グリップ部の差込隙間を通過することができ、前記二つの第四グリップ部の貫通孔が互いに位置合わせて前記二つのベースを前記環状構造に形成させる。
【００２７】
前記取っ手は、前記グリップ部は前記第二方向における両側にそれぞれ先行折り線が設置され、前記二つの先行折り線は開口がそれぞれ前記グリップ部の外側に向かう曲線状に形成され、前記グリップ部は前記二つの先行折り線の間に剥離線が設置される。
【発明の効果】
【００２８】
上記構造により、本発明の取っ手は第一状態を有し、利用者は前記二つの載せ部を両側へ引っ張り、前記取っ手を前記第一状態から第二状態へ変化させ、前記二つの載せ部の間に開口を形成させることにより、容器は前記開口を通過し、かつ前記容器の拡径部が前記二つの載せ部と前記グリップ部の間に位置決めされ、前記二つの載せ部がそれぞれ前記拡径部に係止し、前記取っ手を前記容器に結合させる。これにより、利用者は前記グリップ部を握るだけで、前記容器の外表面に接触することなく、前記取っ手により前記容器を持つことができ、容器の携行利便性を向上させる効果を有する。かつ、前記第一状態において、前記ベースが平面状に形成されるため、前記取っ手は容易に収納でき、かつ嵩張らないなどの利点を有し、前記取っ手の利用コストを低減させる効果を達成する。
【図面の簡単な説明】
【００２９】
【図１】本発明の第一実施例の外観概略図。
【図２】本発明の第一実施例のベースが第一状態から第二状態へ変化することを示す概略図。
【図３】本発明の第一実施例が容器に結合された使用状態の概略図。
【図４】本発明の第二実施例の外観概略図。
【図５】本発明の第二実施例の補強部に係る結合の概略図。
【図６】本発明の第二実施例が容器に結合された使用状態の概略図。
【図７】本発明の第三実施例の外観概略図。
【図８】本発明の第三実施例のベースが第一状態から第二状態へ変化することを示す概略図。
【図９】本発明の第三実施例が容器に結合された使用状態の概略図。
【図９ａ】本発明の第三実施例が容器に結合された部分の拡大概略図。
【図１０】本発明の第四実施例の外観概略図。
【図１１】本発明の第四実施例が容器に結合された使用状態の概略図。
【図１２】本発明の第三実施例が容器に結合された部分の拡大概略図。
【図１３】本発明の第五実施例の外観概略図。
【図１４】本発明の第五実施例が複数の容器に結合された使用状態の概略図。
【図１５】本発明の第五実施例に係るもう一つの実施形態の外観概略図。
【図１６】本発明の第五実施例が複数の瓶状容器に結合された使用状態の概略図。
【図１７】本発明の第六実施例の外観概略図。
【図１８】本発明の第六実施例が複数の瓶状容器に結合された使用状態の概略図。
【図１９】本発明の第七実施例の外観概略図。
【図２０】本発明の第七実施例が複数の瓶状容器に結合された使用状態の概略図。
【図２１】本発明の第八実施例の外観概略図。
【図２２】本発明の第八実施例が椀状の容器に結合された使用状態の概略図。
【図２２ａ】本発明の第八実施例が椀状の容器に結合された部分の拡大概略図。
【図２３】本発明の第八実施例について同方向に設置された係止片を含む第一結合部及び第二結合部が設置される外観の概略図。
【図２４】本発明の第八実施例について同方向に設置された係止片を含む第一結合部及び第二結合部が設置され、かつ椀状の容器に結合された使用状態の概略図。
【図２５】本発明の第八実施例について異なる方向に設置された係止片を含む第一結合部及び第二結合部が設置される外観の概略図。
【図２６】本発明の第八実施例について異なる方向に設置された係止片を含む第一結合部及び第二結合部が設置され、かつ椀状の容器に結合された使用状態の概略図。
【発明を実施するための形態】
【００３０】
本発明の実施の形態について、以下、図面を参照して説明する。
【実施例１】
【００３１】
図１に示されるように、本発明の第一実施例による取っ手１は第一状態を有し、この第一状態において、取っ手１はベース１１を含む。ベース１１は紙、プラスチック材料或いは不織布などの材質からなるものであってもよく、本発明はこれらに限定されるものではない。ベース１１はシート状構造であり、ベース１１は二つの端縁１１１及び二つの側縁１１２を含む。二つの端縁１１１はそれぞれベース１１の両端に形成され、かつ各側縁１１２の両端はそれぞれ二つの端縁１１１に連接される。ベース１１上に二つのカット部１２が開設される。二つのカット部１２はそれぞれベース１１の一つの端縁１１１に近接する位置からベース１１のもう一つの端縁１１１に近接する位置まで延伸し、かつ二つのカット部１２はそれぞれ記二つの側縁１１２と間隔を取って設置される。本実施例及び以下の各実施例において、カット部１２は裁断線をその実施形態として説明するが、カット部１２は隙間や溝であっても良いことは当業者が容易に想到できるので、本発明に述べられる「カット部」は裁断線に限定されるものではない。なお、二つのカット部１２はベースを貫通する裁断線であり、二つのカット部１２は互いに間隔を取って設置され、また、二つのカット部１２は互いに平行に設けられていても良い。
【００３２】
さらに詳しく述べると、ベース１１は互いに直交する第一方向Ｘと第二方向Ｙとを有する。二つの端縁１１１はそれぞれベース１１にて第一方向Ｘにおける両端に形成され、二つの側縁１１２はそれぞれベース１１にて第二方向Ｙにおける両側に形成される。二つのカット部１２はそれぞれ第一方向Ｘに沿って延伸し、かつ二つのカット部１２は第二方向Ｙにて二つの側縁１１２と間隔を取って設置される。これにより、取っ手１は各側縁１１２とそれに隣接するカット部１２との間に載せ部１３を形成することができ、かつ二つのカット部１２間にグリップ部１４を形成する。前記第一状態において、ベース１１は平面状に形成されるため、取っ手１は容易に収納でき、かつ嵩張らないなどの利点を有する。
【００３３】
上記構造を有する本発明の第一実施例による取っ手１を実際に使用する際、図２に示されるように、利用者は力を加えて取っ手１を第一状態から第二状態へ変化させることができる。より詳細に述べると、利用者は二つの載せ部１３を第二方向Ｙに沿って両側へ引っ張り、縦方向に（図面における）下方へひっくり返し、二つの載せ部１３をグリップ部１４から引き離す。それにより、載せ部１３は隣接するカット部１２に対向する側が縦方向に（図面における）上方へ直立して載せ端縁１３１を形成し、かつ二つの載せ部１３間に開口１３２が形成される。また、グリップ部１４と二つの載せ部１３とが縦方向にて間隔を形成するように、利用者は同時にグリップ部１４を縦方向に（図面における）上方へ引っ張ることができる。
【００３４】
図３に示されるように、取っ手１が力を受けて第二状態へ変化した後、取っ手１は容器Ｃに結合するのに用いることができる。さらに詳しく述べると、容器Ｃは拡径部Ｃ１を有し、拡径部Ｃ１は容器Ｃにおける比較的外径が大きい箇所（例えば、杯口の凸縁）であっても良い。利用者は力を加えることにより載せ部１３を両側へ拡げて、開口１３２の内径を拡径部Ｃ１の外径より大きくすることができるため、拡径部Ｃ１は開口１３２より二つの載せ部１３の間を通過し、二つの載せ部１３とグリップ部１４の間に位置決めすることができる。拡径部Ｃ１が開口１３２を通過した後、利用者は二つの載せ部１３に対して力を加えることを止めることにより、開口１３２の内径を拡径部Ｃ１の外径より小さく形成させることができる。これにより、二つの載せ部１３は容器Ｃの外表面に当接することができ、かつ二つの載せ部１３の載せ端縁１３１がそれぞれ拡径部Ｃ１に係止し、取っ手１を容器Ｃに結合させるすることができる。かくして、利用者はグリップ部１４を握るだけで、容器Ｃの外表面に接触することなく、取っ手１により容器Ｃを持つことができる。
【００３５】
注目すべきことは、容器Ｃに入れるものは、通常、ある程度の重量を有するため、利用者が取っ手１により容器Ｃを持つ際、容器Ｃ自体の重量によりグリップ部１４に作用する引き力を発生させる。二つの載せ部１３がグリップ部１４の両側に形成されているので、グリップ部１４がこの引き力を受ける際、二つの載せ部１３に開口１３２に向かう締め力を発生させ、容器Ｃの拡径部Ｃ１に係止している載せ端縁１３１をさらに拡径部Ｃ１に密接させる。言い換えると、利用者がグリップ部１４を持つ際に、容器Ｃがグリップ部１４に作用する引き力により、二つの載せ部１３に開口１３２に向かう締め力を発生させるため、二つの載せ部１３は両側から内部へ締めるように形成され、容器Ｃを取っ手１の載せ部１３に安定して位置決めさせるので、利用者は便利にグリップ部１４により容器Ｃを持つことができ、容器Ｃが取っ手１から外れる虞がない。
【００３６】
引き続き図１及び図３を参照すると、第一状態において、取っ手１はカット部１２の両端にそれぞれ延伸部１２１を形成することができ、本実施例において、延伸部１２１は、二つのカット部１２の延伸部１２１の間隔が二つのカット部１２から隣接する端縁１１１に向かって次第に広がるように、第一方向Ｘに沿ってカット部１２から隣接する側縁１１２へ延伸し、かつ延伸部１２１は曲線状に形成されても良い。これにより、ベース１１がプラスチック材料など（紙に比べて）折り目が付きにくい材料からなる場合、カット部１２に延伸部１２１を形成することにより、取っ手１を第二状態へ変化させて容器Ｃに結合させた後、載せ部１３においてベース１１の二つの端縁１１１に近接する位置となるべく容器Ｃに当接させ、取っ手１と容器Ｃとの結合強度を向上させることができる。
【００３７】
より重要なことは、延伸部１２１が設置されていない場合、グリップ部１４が受ける引き力はカット部１２の両端に第一方向Ｘに平行する分力を生成し、分力がカット部１２の両端を破裂させ、ひいてはカット部１２をベース１１の端縁１１１まで延伸させ、取っ手１を割ってしまうことが知られている。これに対し、本実施例において、延伸部１２１を隣接する側縁１１２へ延伸させ、かつ延伸部１２１とカット部１２との間に約９０°の夾角を形成させることにより、利用者がグリップ部１４を持つ際、グリップ部１４が受ける引き力がカット部１２の両端に第一方向Ｘと平行な分力を形成することを防ぐことができる。言い換えると、延伸部１２１を設置し、かつ延伸部１２１とカット部１２との間に約９０°の夾角を形成させることにより、利用者が取っ手１を持つ際、カット部１２の両端が受ける第一方向Ｘに平行な力を効果的に減少させるごとができるため、カット部１２の両端が破裂することを防ぐことができる。
【実施例２】
【００３８】
図４を参照すると、本発明の第二実施例による取っ手１と前記の第一実施例とが異なる点として、本実施例においては、取っ手１にてベース１１の二つの端縁１１１にそれぞれ補強部１５を連接している。補強部１５は同時に二つの載せ部１３及びグリップ部１４に結合することができる。より詳しく述べると、補強部１５は予め粘着などにより二つの載せ部１３及びグリップ部１４に結合する、或いは、図５に示されるように、取っ手１を実際に使用する際、補強部１５は、利用者が自ら補強部１５を端縁１１１に沿って折り曲げて、かつ粘着などにより二つの載せ部１３及びグリップ部１４に結合することができることにあり、本発明はこれらに限定されるものではない。
【００３９】
図６に示されるように、ベース１１が紙などのように力を受けた後に割れてしまうことがある材質から作製される場合、本実施例による取っ手１は補強部１５を設置し、かつ補強部１５を同時に二つの載せ部１３及びグリップ部１４に結合することにより、利用者が取っ手１により容器Ｃを持つ際、グリップ部１４が受ける引き力は二つの載せ部１３とグリップ部１４との境目位置に集中しにくくなる。これにより、補強部１５は取っ手１が割れてしまうことを効果的に防ぐことができる。
【００４０】
一方、本実施例において、ベース１１は紙などのような折り目が付きやすい材質から作製されても良いので、取っ手１を第二状態へ変化させて容器Ｃに結合した後、載せ部１３においてベース１１の二つの端縁１１１に近接する位置はそれぞれ折り目１３３を形成することができる。折り目１３３は自然に形成されるものであっても、予め載せ部１３に開設される先行折り線（図示せず）から形成されるものであっても良い。これにより、載せ部１３は、それに形成された二つの折り目１３３の間の部分が容器Ｃに密接することができ、載せ部１３において二つの折り目１３３の外側にある部分はグリップ部１４に連接されるのに用いられる。
【００４１】
注目すべきことは、取っ手１は同じくカット部１２の両端にそれぞれ延伸部１２１を形成することができるが、本実施例において、延伸部１２１は、二つのカット部１２の延伸部１２１の間隔が二つのカット部１２から隣接する端縁１１１に向かって次第に狭まるように、第一方向Ｘに沿ってカット部１２からベース１１の中央へ延伸し、延伸部１２１は同じく曲線状に形成されても良いことにある。これにより、カット部１２に延伸部１２１を形成することで、取っ手１を第二状態へ変化させて容器Ｃに結合させた後、載せ部１３は力を受ける際に容易に自然に折り目１３３を形成させることができる。本実施例において、延伸部１２１をベース１１の中央に向かって延伸させ、かつ延伸部１２１とカット部１２との間に約９０°の夾角を形成させることにより、利用者がグリップ部１４を持つ際に、カット部１２が受ける第一方向Ｘに平行な力を同様に効果的に減少させ、同様にカット部１２の両端が破裂することを防ぐことができる。
【実施例３】
【００４２】
図７に示される本発明の第三実施例による取っ手２は、同様な第一状態を有し、第一状態において、取っ手２はまたベース２１を含む。ベース２１は同様に二つの端縁２１１及び二つの側縁２１２を含み、二つの端縁２１１はそれぞれベース２１の両端に形成され、かつ各側縁２１２の両端はそれぞれ二つの端縁２１１に連接される。しかしながら、ベース２１上にはカット部２２が一つのみ開設されており、カット部２２はベース２１の一つの端縁２１１に近接する位置からベース２１のもう一つの端縁２１１に近接する位置まで延伸し、かつカット部２２がベース２１を貫通する裁断線である。また、ベース２１の一つの端縁２１１にグリップ２４が結合される。
【００４３】
より詳細に説明すると、本実施例におけるベース２１は互いに直交する第一方向Ｘと第二方向Ｙとを有し、二つの端縁２１１はそれぞれベース２１にて第一方向Ｘにおける両端に形成され、二つの側縁２１２はそれぞれベース２１にて第二方向Ｙにおける両側に形成される。カット部２２は第一方向Ｘに沿って延伸し、これにより取っ手２はカット部２２にて第二方向Ｙにおける両側にそれぞれ載せ部２３を形成することができる。第一状態において、ベース２１は同様に平面状に形成されるため、取っ手２も容易に収納でき、かつ嵩張らないなどの利点を有する。
【００４４】
上記構造を有することにより、図８に示されるように、ベース２１を環状構造に形成させるために、ベース２１に結合される一つの端縁２１１のグリップ部２４はベース２１のもう一つの端縁２１１に結合しても良い。なお、グリップ部２４とベース２１のもう一つの端縁２１１とはテープやステープルなど公知の結合手段により互いに結合する、或いは、本実施例においては、グリップ部２４においてベース２１から離れる端に第一結合部２４１を設置し、ベース２１のもう一つの端縁２１１に第二結合部２１３を連接することができる。第一結合部２４１或いは第二結合部２１３は粘着劑を塗布するのに用いることができ、これにより、第一及び第二結合部２４１、２１３を互いに粘着させ、グリップ部２４をベース２１のもう一つの端縁２１１に結合し、ベース１１を環状構造に形成させる。
【００４５】
本発明の第三実施例による取っ手２を実際に使用する際、前述した第一及び第二実施例と同様に、利用者は力を加えて取っ手２を第一状態から第二状態へ変化させることができる。より詳しく述べると、利用者は二つの載せ部２３を第二方向Ｙに沿って両側へ引っ張り、縦方向に（図面における）下方へひっくり返し、二つの載せ部２３の間に開口２３２を形成し、載せ部２３においてカット部２２に対向する側が縦方向に（図面における）上方へ直立して載せ端縁２３１を形成する。また、ベース２１は環状構造に形成されるので、グリップ部２４と二つの載せ部２３とが縦方向にて間隔を形成するように、利用者は同時にグリップ部２４を縦方向に（図面における）上方へ引っ張ることができる。
【００４６】
図９を併せて参照すると、取っ手２が力を受けて第二状態へ変化した後、取っ手２は容器Ｃに結合するのに用いることができる。さらに詳しく述べると、容器Ｃも拡径部Ｃ１を有し、利用者は力を加えることにより載せ部２３を両側へ拡げて、開口２３２の内径を拡径部Ｃ１の外径より大きくすることができるため、拡径部Ｃ１は開口２３２より二つの載せ部２３の間を通過し、二つの載せ部２３とグリップ部２４の間に位置決めすることができる。拡径部Ｃ１が開口２３２を通過した後、利用者は二つの載せ部２３に対して力を加えることを止めることにより、開口２３２の内径を拡径部Ｃ１の外径より小さく形成させことができ、これにより、図９ａに示されるように、二つの載せ部２３は容器Ｃの外表面に当接することができ、かつ二つの載せ部２３の載せ端縁２３１がそれぞれ拡径部Ｃ１に係止し、取っ手２を容器Ｃに結合させることができる。かくして、上述した第一及び第二実施例と同様に、利用者はグリップ部２４を握るだけで、容器Ｃの表面に接触することなく、取っ手２により前記容器Ｃを持つことができる。
【実施例４】
【００４７】
図１０を参照すると、本発明の第四実施例による取っ手２が第三実施例とが異なる点として、カット部２２の両端にそれぞれ案内孔２２１が設置される。案内孔２２１はベース２１を貫通する丸型の孔であることが好ましい。図１１及び図１２を併せて参照すると、案内孔２２１を設置することにより、二つの載せ部２３が両側へ引っ張られる際、案内孔２２１は二つの載せ部２３の境目に形成されるため、案内孔２２１は利用者が取っ手２により容器Ｃを持つ際、グリップ部２４が受ける引き力が二つの載せ部２３の境目位置に集中して応力集中点を形成することを防ぎ、さらにカット部２２が両端に向かって割れてしまうことを防ぐことができる。
【００４８】
さらに、カット部２２の両端はそれぞれ二つの先行折り線２２２を連接しても良い。より詳しく述べると、カット部２２の両端はそれぞれ先行折り線２２２を連接し、カット部２２のいずれか一端の先行折り線２２２はそれぞれその端の案内孔２２１に連接して設置することができ、かつ二つの先行折り線２２２はそれぞれ第一方向Ｘに沿ってカット部２２から二つの側縁２１２へ延伸する。これにより、取っ手２を第二状態へ変化させて容器Ｃに結合した後、先行折り線２２２は、載せ部２３においてベース２１の二つの端縁２１１に近接する位置にそれぞれ折り目２３３を形成することを促進することができる。これにより、載せ部２３は、それに形成された二つの折り目２３３の間の部分が容器Ｃに密接することができ、載せ部２３において二つの折り目２３３の外側にある部分はグリップ部２４に連接されるのに用いられる。
【００４９】
上述した本発明の第一、第二、第三及び第四実施例における取っ手１、２に結合される容器Ｃは、高温、常温或いは低温の内容物を入れるため、容器Ｃに低温の内容物を入れた場合、容器Ｃは空気に含まれた水分が凝縮することにより、水玉が容易に外表面に付着する。そのため、前記ベース１１、２１が紙などのような水との接触でその構造強度を低下させる可能性のある材質からなる場合、ベース１１、２１において容器Ｃに対向する表面にポリフィルム（図示せず）を設置しても良い。このフィルムはラミネート、粘着或いはホットボンドなどの手段によりベース１１、２１の表面に形成することができ、これにより水気を隔離する機能を提供し、ベース１１、２１が水に接触した後に発生する構造強度の低下を効果的に防ぐことは、当業者が容易に想到できるものである。
【実施例５】
【００５０】
図１３を参照すると、本発明の第五実施例による取っ手２と前述の第三実施例とが異なる点として、ベース２１の二つの端縁２１１はそれぞれ第一グリップ部２４ａ及び第二グリップ部２４ｂが結合され、第一グリップ部２４ａ及び第二グリップ部２４ｂにはそれぞれ貫通孔２４２が設置され、かつ第二グリップ部２４ｂの貫通孔２４２の周縁に係止片２４３を結合すること点にある。これにより、第一グリップ部２４ａ及び第二グリップ部２４ｂは互いに位置合わせして利用者が持つのに用いられ、ベース２１を環状構造に形成させることができる。
【００５１】
言い換えると、図１４に示されるように、本発明の第五実施例による取っ手２を実際に使用する際、利用者は第一グリップ部２４ａ及び第二グリップ部２４ｂを揃えて、第一及び第二グリップ部２４ａ、２４ｂの貫通孔２４２を互いに位置合わさせることができるので、利用者の手は第一及び第二グリップ部２４ａ、２４ｂの貫通孔２４２をそれぞれ通して第一及び第二グリップ部２４ａ、２４ｂを同時に持ち、ベース２１を環状構造に形成させることができる。また、第二グリップ部２４ｂの貫通孔２４２の周縁に結合される係止片２４３は第一グリップ部２４ａの貫通孔２４２を通過することができ、これにより第一及び第二グリップ部２４ａ、２４ｂを互いに結合して固定させる。
【００５２】
さらに、図１３及び図１４に示されるように、本実施例において、ベース２１は隔離溝２１４が設置される。隔離溝２１４はベース２１を貫通する長形の溝であり、ベース２１を第二方向Ｙにて二つの部分に分けるのに用いられる。なお、ベース２１において隔離溝２１４の両側に位置する部分はそれぞれカット部２２を開設することができるので、各カット部２２は同じく第二方向Ｙにおける両側にそれぞれ載せ部２３を形成することができ、ベース２１が隔離溝２１４に分けられた二つの部分をそれぞれ容器Ｃに結合させる。言い換えると、利用者は隔離溝２１４の両側に開設されるカット部２２を拡げ、カット部２２の両側の二つの載せ部２３を引き離し、さらに隔離溝２１４の両側にそれぞれ開口２３２を形成し、これにより二つの容器Ｃの拡径部Ｃ１を隔離溝２１４の両側の開口２３２を通過させ、二つの容器Ｃを同時に取っ手２に結合する。かくの如く、本発明の第四実施例による取っ手２は、複数の容器Ｃを同時に結合することができるので、利用者はグリップ部２４により複数の容器Ｃを同時に持つことができる。
【００５３】
図１５及び図１６に示されるように、本発明の第五実施例による取っ手のもう一つの実施形態は、上述した実施形態に比べ、ベース２１に開設されるカット部２２の第一方向Ｘにおける長さが短く、これにより、前述した実施例の取っ手２はいすれも杯状の容器Ｃを結合するのに用いられることに対し、この実施形態においては、ベース２１に開設されるカット部２２の長さが比較的に短いので、取っ手２は瓶状の容器Ｃ′を結合するのに用いることができる。さらに詳しく述べると、瓶状の容器Ｃ′の口径は小さいことが知られており、かつ瓶状の容器Ｃ′は拡径部Ｃ１′（例えば、瓶口の凸縁）を有するため、カット部２２の第一方向Ｘにおける長さが短いことにより、瓶状の容器Ｃ′の開口をカット部２２の両側の載せ部２３を通過させた後、二つの載せ部２３は依然として効果的に瓶状の容器Ｃ′の拡径部Ｃ１′に係止し、取っ手２を確実に瓶状の容器Ｃ′に結合させることができる。このことから分かるように、本発明の各実施例による取っ手１、２において、ベース１１、１２に開設されるカット部１２、２２の長さは、取っ手１、２を結合しようとする容器の口径の大きさによって調整できることは、当業者が理解して実施できるものである。
【実施例６】
【００５４】
図１７、１８を参照すると、本発明の第六実施例による取っ手２と前述の第五実施例とが異なる点として、第一グリップ部２４ａ或いは第二グリップ部２４ｂには貫通孔２４２を開設する以外に、ソケット２４４を設置してもよい。ソケット２４４はコーヒーフレッシュ、ガムシロップ或いはペットシュガーなどの小型容器Ｄを結合するのに用いられることができる。また、第二グリップ部２４ｂの貫通孔２４２の周縁に結合される係止片２４３に二つの貫通溝２４３ａを開設することができ、二つの貫通溝２４３ａはそれぞれ係止片２４３を貫通し、これにより係止片２４３が第一グリップ部２４ａの貫通孔２４２を通過した後、利用者はマドラー或いはストローなどの棒体Ｓを二つの貫通溝２４３ａにそれぞれ通過させ、棒体Ｓを前記２４３に結合させる。かくして、本発明の第六実施例による取っ手２は、ソケット２４４及び貫通溝２４３ａを設置することにより、様々の小型容器及びマドラーまたはストローなどの部品をまとめて取っ手２に固定し、取っ手２の機能の多様性を大幅に向上させることができる。また、棒体Ｓが二つの貫通溝２４３ａをそれぞれ通過する際、棒体Ｓは係止片２４３が第一グリップ部２４ａの貫通孔２４２から抜け出ることを防ぐことができるので、利用者が取っ手２を一旦放置しても、第一及び第二グリップ部２４ａ、２４ｂは依然として互いに安定して結合し、取っ手２の使用利便性をさらに向上させる。
【実施例７】
【００５５】
本発明の第七実施例によ係る取っ手２を図１９に示す。前述した第五及び第六実施例において、二つの容器を同時に持つことができる取っ手２の実施形態が掲示されているが、ベース２１に設置される隔離溝２１４及びカット部２２の数を共に増やすことにより、取っ手２が結合できる容器の数を増加できることは当業者が容易に想到できることである。しかしながら、利用者がより多く（例えば、６個）の容器を持とうとする場合、一つの取っ手２では必然的に需要を満たせなくなる。よって、本発明の第七実施例による取っ手２は二つのベース２１を含み、各ベース２１には二つの隔離溝２１４がそれぞれ設置され、これによりベース２１を第二方向Ｙにて三つの部分に分ける。ベース２１におけるこの三つの部分にはそれぞれカット部２２が開設され、かつベース２１の二つの端縁２１１にはそれぞれ第三グリップ部２４ｃ及び第四グリップ部２４ｄが結合される。なお、第三グリップ部２１ｃは差込隙間２４５を有し、差込隙間２４５は第二方向Ｙに沿って延伸して第三グリップ部２４ｃを貫通し、第四グリップ部２４ｄには貫通孔２４２が設置される。二つのベース２１が結合される第四グリップ部２４ｄは互いに連接し、かつ二つの第四グリップ部２４ｄの連接箇所は中心線２５を形成する。
【００５６】
第七実施例による取っ手２は前記実施例と同じく第一状態を有し、この第一状態において、二つのベース２１はいずれも平面状に形成される。図２０を併せて参照すると、第七実施例による取っ手２を実際に使用する際、利用者は取っ手１を第一状態から第二状態へ変化させるように力を加えてことができる。より詳しく述べると、まず、二つのベース２１が結合される第四グリップ部２４ｄを中心線２５に沿って縦方向に下方（図面における）へ折り合わせ、かつ二つのベース２１が結合される第三グリップ部２４ｃを前記縦方向に上方（図面における）へ折り曲げ、これにより二つの第四グリップ部２４ｄはそれぞれ二つの第三グリップ部２４ｃの差込隙間２４５を通過することができ、第七実施例による取っ手２の二つのベース２１を環状構造に形成させる。二つの第四グリップ部２４ｄはそれぞれ貫通孔２４２を有するので、二つの第四グリップ部２４ｄを中心線２５に沿って折り合わせた後、二つの第四グリップ部２４ｄの貫通孔２４２が互いに位置合わせするため、利用者は手を二つの第四グリップ部２４ｄの貫通孔２４２にそれぞれ通過して二つの第四グリップ部２４ｄを同時に持ち、ベース２１を環状構造に形成させることができる。利用者は二つのベース２１におけるそれぞれのカット部２２の両側に形成される載せ部２３を両側へ引っ張り、瓶状の容器Ｃ′を結合するのに用いることができ、これにより、第七実施例による取っ手２は六個の瓶状の容器Ｃ′を結合することができる。このことから分かるように、本発明の第七実施例による取っ手２は、二つのベース２１を組み合わせることにより、取っ手２が結合できる容器の数をより多くして、取っ手２が具備する機能をさらに完全なものとする。
【００５７】
さらに、第七実施例による取っ手２は、より多くの容器を結合するのに用いられるため、取っ手２に結合される容器の総重量が重くなる。そのため、第四グリップ部２４ｄの貫通孔２４２の両側それぞれにさらに差込孔２４６を設置してもよく、二つの第四グリップ部２４ｄを中心線２５に沿って折り合わせた後、二つの第四グリップ部２４ｄの差込孔２４６を互いに位置合わせする。これにより、利用者は紐Ｒを第四グリップ部２４ｄの各差込孔２４６にそれぞれ通過させ、紐Ｒにより取っ手２を持ち、利用者は便利に力を加えて取っ手２を持つことができ、また、紐Ｒは利用者が取っ手２をその他の物体に掛けるのに用いることができ、利用者が長時間にわたって取っ手２を持たなくても良いので、第七実施例による取っ手２は使用する際にさらなる活用性を有する。
【実施例８】
【００５８】
図２１、２２を参照すると、本発明の第八実施例による取っ手２と第三実施例との異なる点として、グリップ部２４の第二方向Ｙにおける両側にそれぞれ先行折り線２４７が設置されても良く、先行折り線２４７は曲線に形成されても良く、かつ二つの先行折り線２４７は開口がそれぞれグリップ部２４の外側に向かう曲線状に形成されることが好ましい。これにより、図２２ａに示されるように、二つの載せ部２３は容器Ｃの外表面に当接することができ、かつ二つの載せ部２３の載せ端縁２３１がそれぞれ椀状の容器Ｃ″の拡径部Ｃ１″に係止し、取っ手２を椀状の容器Ｃ″に結合させるすることができる。取っ手２が椀状の容器Ｃ″に結合されるのに用いられた場合、前記の杯状の容器Ｃ或いは瓶状の容器Ｃ′に比べ、通常、椀状の容器Ｃ″は高さが低く、かつ椀状の容器Ｃ″に入れられる内容物の重量が重いので、利用者がグリップ部２４を持つ際、椀状の容器Ｃ″の重心が不安定になることが起き易く、さらに椀状の容器Ｃ″に入れられる液状の内容物が飛び散ってしまうこともある。そのため、第八実施例による取っ手２は、グリップ部２４に開口がそれぞれグリップ部２４の外側に向かう曲線状の先行折り線２４７を設置することにより、利用者は二つの先行折り線２４７を押し、曲面を有するグリップにグリップ部２４を形成させるように、グリップ部２４を外側から裏に向って折り曲げ、これにより利用者は先行折り線２４７に形成された曲面を摘まむことにより椀状の容器Ｃ″を持ち、さらに安定して椀状の容器Ｃ″を持つことができる。
【００５９】
一方、グリップ部２４は二つの先行折り線２４７の間に剥離線２４８が設置されても良く、かつ剥離線２４８は剥離片２４８aを連接することができる。これにより、利用者が椀状の容器Ｃ″の内容物を取ろうとする際、剥離片２４８aを押して剥離片２４８aを凹ませ、剥離片２４８aが凹んだ位置を力を加える点とすることができ、利用者が力を加えてグリップ部２４を剥離線２４８に沿って裂くのに用いられ、取っ手２を椀状の容器Ｃ″から剥がし、利用者が便利に椀状の容器Ｃ″の内容物を取ることができる。
【００６０】
前記の第三及び第四実施例においては、グリップ部２４とベース２１とが第一及び第二結合部２４１、２１３により互いに粘着され、グリップ部２４をベース２１のもう一つの端縁２１１に結合させ、ベース２１を前述した環状構造に形成させる。しかしながら、本発明の一部の実施例において、グリップ部２４にてベース２１から離れる端に第一結合部２４１′を設置しても良く、ベース２１のもう一つの端縁２１１は第二結合部２１３′が連接され、なお、第一結合部２４１′及び第二結合部２１３′は互いに対応する係止構造である。さらに詳しく述べると、図２３及び図２４に示されるように、第一結合部２４１′は同方向に設置された二個で一組の係止片であり、第二結合部２１３′も同じく同方向に設置された二個で一組の係止片であり、これにより、第一及び第二結合部２４１′、２１３′は互いに位置合わせするように形成され、利用者は第一及び第二結合部２４１′、２１３′からなる係止片を押すだけで、第一及び第二結合部２４１′、２１３′を互いに係止して結合させ、ベース２１を環状構造に形成させることができる。或いは、図２５及び図２６に示されるように、第一及び第二結合部２４１′、２１３′が異なる方向に設置された二個で一組の係止片であり、異なる方向に設置された係止片を作製することは、取っ手２の構造の複雑度を増加させることになるが、利用者は第一及び第二結合部２４１′、２１３′からなる係止片を押すだけで、第一及び第二結合部２４１′、２１３′からなる異なる方向に設置された二個で一組の係止片は、第一及び第二結合部２４１′、２１３′の係止強度を向上させることができる。
【００６１】
よって、本発明の第三、第四及び第八実施例において、第一結合部２４１、２４１′及び第二結合部２１３、２１３′の結合方式については、粘着、係止結合或いはその他の従来の結合方式であってもよく、本発明はこれに限定されるものではない。
【００６２】
上述した構造を有することにより、本発明の第一から第八実施例による取っ手１、２の主な特徴としては下記のとおりである。
【００６３】
ベースを提供し、前記ベースは少なくとも一個のカット部を有し、前記カット部はベースに二つの載せ部及び一つのグリップ部を形成させることができる。前記取っ手は第一状態を有し、利用者は前記二つの載せ部を両側へ引っ張り、前記取っ手を第一状態から第二状態へ変化させ、二つの載せ部の間に開口を形成し、これにより容器は前記開口を通り、前記容器の拡径部は二つの載せ部とグリップ部の間に位置決めすることができ、前記二つの載せ部はそれぞれ拡径部に係止し、取っ手を容器に結合させることができる。
【００６４】
上述の説明から分かるように、本発明の各実施例による取っ手は、利用者がグリップ部を握るだけで、容器の外表面に接触することなく、取っ手により容器を持つことができるので、容器に高温のものを入れた場合に利用者が火傷してしまうことを防ぐことができるとともに、容器に低温のものを入れた場合に、容器の外表面に凝縮された水玉が付着して利用者の手を濡らすという不便を防ぐことができ、容器の携行利便性を向上させる効果を確実に達成する。
【００６５】
さらに、本発明の各実施例による取っ手は、容器に結合される前に、第一状態において、ベースが平面状に形成されるため、取っ手は容易に収納でき、かつ嵩張らないなどの利点を有し、取っ手の利用コストを低減させる効果を達成する。
【００６６】
以上により、本発明による取っ手は容器に結合するのに用いられ、利用者はグリップ部を握るだけで、容器の外表面に接触することなく、取っ手により容器を持つことができ、かつ取っ手を容器に結合する前は、ベースが平面状に形成されているため、容器の携行利便性を向上させ、取っ手の利用コストを低減させるなどの効果を達成する。
【符号の説明】
【００６７】
１        取っ手
１１      ベース
１１１    端縁
１１２    側縁
１２      カット部
１２１    延伸部
１３      載せ部
１３１    載せ端縁
１３２    開口
１３３    折り目
１４      グリップ部
１５      補強部
２        取っ手
２１      ベース
２１１    端縁
２１２    側縁
２１３    第二結合部
２１３′  第二結合部
２１４    隔離溝
２２      カット部
２２１    案内孔
２２２    先行折り線
２３      載せ部
２３１    載せ端縁
２３２    開口
２３３    折り目
２４      グリップ部
２４ａ    第一グリップ部
２４ｂ    第二グリップ部
２４ｃ    第三グリップ部
２４ｄ    第四グリップ部
２４１    第一結合部
２４１′  第一結合部
２４２    貫通孔
２４３    係止片
２４３ａ  貫通溝
２４４    ソケット
２４５    差込隙間
２４６    差込孔
２４７    先行折り線
２４８    剥離線
２４８ａ  剥離片
２５      中心線
Ｘ        第一方向
Ｙ        第二方向
Ｃ        容器
Ｃ１      拡径部
【図１】
2016531055.tif 000003
【図２】
2016531055.tif 000004
【図３】
2016531055.tif 000005
【図４】
2016531055.tif 000006
【図５】
2016531055.tif 000007
【図６】
2016531055.tif 000008
【図７】
2016531055.tif 000009
【図８】
2016531055.tif 000010
【図９】
2016531055.tif 000011
【図９ａ】
2016531055.tif 000012
【図１０】
2016531055.tif 000013
【図１１】
2016531055.tif 000014
【図１２】
2016531055.tif 000015
【図１３】
2016531055.tif 000016
【図１４】
2016531055.tif 000017
【図１５】
2016531055.tif 000018
【図１６】
2016531055.tif 000019
【図１７】
2016531055.tif 000020
【図１８】
2016531055.tif 000021
【図１９】
2016531055.tif 000022
【図２０】
2016531055.tif 000023
【図２１】
2016531055.tif 000024
【図２２】
2016531055.tif 000025
【図２２ａ】
2016531055.tif 000026
【図２３】
2016531055.tif 000027
【図２４】
2016531055.tif 000028
【図２５】
2016531055.tif 000029
【図２６】
2016531055.tif 000030
【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
ベースを含む取っ手であって、前記ベースは二つの端縁及び二つの側縁を含み、前記二つの端縁はそれぞれ前記ベースの両端に形成され、かつ各前記側縁の両端はそれぞれ前記二つの端縁に連接され、前記ベース上に二つのカット部が間隔を取って開設され、前記二つのカット部はそれぞれベースの一つの端縁に近接する位置からベースのもう一つの端縁に近接する位置まで延伸し、かつ前記二つのカット部はそれぞれ二つの側縁と間隔を取って設置され、前記ベースが互いに直交する第一方向と第二方向とを有し、前記二つの端縁がそれぞれ前記ベースにて前記第一方向における両端に形成され、前記二つの側縁がそれぞれ前記ベースにて前記第二方向における両側に形成され、前記二つのカット部がそれぞれ前記第一方向に延伸し、かつ前記二つのカット部が前記第二方向にて前記二つの側縁と間隔を取って設置され、前記取っ手は、各前記側縁とそれに隣接するカット部との間に載せ部を形成し、かつ前記二つのカット部間にグリップ部を形成し、前記ベースの二つの端縁はそれぞれ補強部が連接され、前記補強部が同時に前記二つの載せ部及び前記グリップ部に結合されることを特徴とする取っ手。
【請求項２】
前記取っ手が第一状態を有し、前記第一状態において前記ベースが平面状に形成され、前記二つの載せ部は前記第二方向に両側へ引っ張られ、前記取っ手を前記第一状態から第二状態へ変化させ、前記載せ部は隣接するカット部に対向する側に載せ端縁が形成され、前記二つの載せ部間に開口が形成されることを特徴とする請求項１に記載の取っ手。
【請求項３】
前記取っ手が容器に結合するのに用いられ、前記容器が拡径部を有し、前記拡径部が前記二つの載せ部と前記グリップ部との間に位置決めされ、前記二つの載せ部は前記容器の外表面に当接し、且つ前記二つの載せ部の載せ端縁がそれぞれ前記拡径部に係止することを特徴とする請求項２に記載の取っ手。
【請求項４】
前記カット部の両端にそれぞれ延伸部が形成され、前記二つのカット部の延伸部の間隔が前記二つのカット部から隣接する端縁に向かって次第に広がるように、前記延伸部が前記第一方向に前記カット部から隣接する側縁へ延伸することを特徴とする請求項１、２または３に記載の取っ手。
【請求項５】
前記ベースが紙により形成され、前記第二状態において、前記載せ部における前記ベースの二つの端縁に近接する位置にそれぞれ折り目が形成され、前記カット部の両端にそれぞれ延伸部が形成され、前記二つのカット部の延伸部間の間隔が前記二つのカット部から隣接する端縁に向かって次第に狭まるように、前記延伸部が前記第一方向に前記カット部から前記ベースの中央へ延伸することを特徴とする請求項２または３に記載の取っ手。
【請求項６】
ベースを含む取っ手であって、前記ベースは二つの端縁及び二つの側縁を含み、前記二つの端縁はそれぞれ前記ベースの両端に形成され、かつ各前記側縁の両端はそれぞれ前記二つの端縁に連接され、前記ベース上にカット部が開設され、前記カット部は前記ベースの一つの端縁に近接する位置から前記ベースのもう一つの端縁に近接する位置まで延伸し、前記ベースの一つの端縁にグリップ部が結合され、前記ベースが互いに直交する第一方向と第二方向とを有し、前記二つの端縁がそれぞれ前記ベースにて前記第一方向における両端に形成され、前記二つの側縁がそれぞれ前記ベースにて前記第二方向における両側に形成され、前記カット部が前記第一方向に延伸し、前記カット部は前記第二方向における両側にそれぞれ載せ部が形成され、前記取っ手が第一状態を有し、前記第一状態において、前記ベースが平面状に形成され、前記ベースを環状構造に形成させるように、前記グリップ部が前記ベースのもう一つの端縁に結合することができ、かつ前記取っ手の二つの載せ部が前記第二方向に両側へ引っ張られ、前記取っ手を前記第一状態から第二状態へ変化させることができ、前記載せ部は、隣接するカット部に対向する側に載せ端縁が形成され、かつ、前記二つの載せ部間に開口が形成され、前記グリップ部において前記ベースから離れる端に第一結合部が設置され、前記ベースのもう一つの端縁に第二結合部が連接され、前記第一結合部と前記第二結合部とが互いに結合し、前記グリップ部を前記ベースのもう一つの端縁に結合させ、前記グリップ部を前記環状構造に形成させることを特徴とする取っ手。
【請求項７】
前記取っ手が容器に結合するのに用いられ、前記容器が拡径部を有し、前記拡径部が前記二つの載せ部と前記グリップ部の間に位置決めされ、前記二つの載せ部は前記容器の外表面に当接し、且つ前記二つの載せ部の載せ端縁がそれぞれ前記拡径部に係止することを特徴とする請求項６に記載の取っ手。
【請求項８】
前記カット部の両端にそれぞれ案内孔が設置されることを特徴とする請求項６または７に記載の取っ手。
【請求項９】
前記カット部の両端にそれぞれ二つの先行折り線が連接され、かつ前記二つの先行折り線がそれぞれ前記第一方向に前記カット部から前記二つの側縁へ延伸し、前記第二状態において、前記二つの先行折り線が前記載せ部において前記ベースの二つの端縁に近接する位置にそれぞれ折り目を形成することができることを特徴とする請求項６または７に記載の取っ手。
【請求項１０】
前記ベースの二つの端縁にそれぞれ第一グリップ部及び第二グリップ部が結合され、前記第一グリップ部及び第二グリップ部に貫通孔がそれぞれ設置され、前記ベースを前記環状構造に形成させるように、前記第一グリップ部及び前記第二グリップ部が互いに位置合わせされることを特徴とする請求項６または７に記載の取っ手。
【請求項１１】
前記第一グリップ部或いは前記第二グリップ部にソケットが設置され、かつ前記第二グリップ部の貫通孔の周縁に係止片が結合され、前記係止片が前記第一グリップ部の貫通孔を通過し、前記係止片に二つの貫通溝が開設され、前記二つの貫通溝がそれぞれ前記係止片を貫通することを特徴とする請求項１０に記載の取っ手。
【請求項１２】
ベースを含む取っ手であって、前記ベースは二つの端縁及び二つの側縁を含み、前記二つの端縁はそれぞれ前記ベースの両端に形成され、かつ各前記側縁の両端はそれぞれ前記二つの端縁に連接され、前記ベース上にカット部が開設され、前記カット部は前記ベースの一つの端縁に近接する位置から前記ベースのもう一つの端縁に近接する位置まで延伸し、前記ベースの一つの端縁にグリップ部が結合され、前記ベースが互いに直交する第一方向と第二方向とを有し、前記二つの端縁がそれぞれ前記ベースにて前記第一方向における両端に形成され、前記二つの側縁がそれぞれ前記ベースにて前記第二方向における両側に形成され、前記カット部が前記第一方向に延伸し、前記カット部は前記第二方向における両側にそれぞれ載せ部が形成され、前記取っ手が第一状態を有し、前記第一状態において、前記ベースが平面状に形成され、前記ベースを環状構造に形成させるように、前記グリップ部が前記ベースのもう一つの端縁に結合することができ、かつ前記取っ手の二つの載せ部が前記第二方向に両側へ引っ張られ、前記取っ手を前記第一状態から第二状態へ変化させることができ、前記載せ部は、隣接するカット部に対向する側に載せ端縁が形成され、かつ、前記二つの載せ部の間に開口が形成され、前記ベースに隔離溝が設置され、前記ベースは前記第二方向における両側にそれぞれカット部が開設され、各前記カット部は前記第二方向における両側にそれぞれ載せ部が形成されることを特徴とする取っ手。
【請求項１３】
前記取っ手が容器に結合するのに用いられ、前記容器が拡径部を有し、前記拡径部が前記二つの載せ部と前記グリップ部との間に位置決めされ、前記二つの載せ部は前記容器の外表面に当接し、且つ前記二つの載せ部の載せ端縁がそれぞれ前記拡径部に係止することを特徴とする請求項１２に記載の取っ手。
【請求項１４】
さらにもう一つのベースを含み、各前記ベースの二つの端縁にそれぞれ第三グリップ部及び第四グリップ部が結合され、前記第三グリップ部は差込隙間を有し、前記差込隙間は前記の第二方向に延伸して前記第三グリップ部を貫通し、前記第四グリップ部は貫通孔が設置され、前記二つのベースが結合される第四グリップ部は互いに連接し、かつ前記二つの第四グリップ部の連接箇所は中心線を形成し、前記二つの第四グリップ部を前記中心線に沿って折り合わせることができ、かつ前記二つの第四グリップ部はそれぞれ前記二つの第三グリップ部の差込隙間を通過することができ、前記二つの第四グリップ部の貫通孔が互いに位置合わせされて前記二つのベースを前記環状構造に形成されることを特徴とする請求項１２または１３に記載の取っ手。
【請求項１５】
前記グリップ部は前記第二方向における両側にそれぞれ先行折り線が設置され、前記二つの先行折り線は開口がそれぞれ前記グリップ部の外側に向かう曲線状に形成され、前記グリップ部は前記二つの先行折り線間に剥離線が設置されることを特徴とする請求項６または７に記載の取っ手。
【手続補正２】
【補正対象書類名】明細書
【補正対象項目名】全文
【補正方法】変更
【補正の内容】
【発明の詳細な説明】
【技術分野】
【０００１】
本発明は取っ手に関し、特に、容器に結合され、利用者が便利に容器を持ち上げることができる取っ手に関する。
【背景技術】
【０００２】
市販の様々な食品は容器に入れられているが、容器は高温、常温或いは低温の内容物を入れるのに用いられることがあり、高温の内容物を入れた場合、利用者が前記容器を取ろうとして容器の外表面に触る際に、気をつけなければ火傷していしまう可能性がある。一方、容器に低温の内容物を入れた場合、空気に含まれる水気が凝縮して容器の外表面に付着するため、利用者が容器を取ろうとして、容器の外表面に触る際に、容器の外表面に凝縮された水玉が利用者の手を濡らしてしまう等、利用者にとって様々な不便をもたらすものであった。
【発明の概要】
【発明が解決しようとする課題】
【０００３】
利用者が高温或いは低温の内容物を入れた容器を便利に取ったり携えたりすることができるように、これまでは、業者は容器をポリ袋や紙袋に入れて利用者に携えさせていた。しかしながら、近年になってエコ意識が高まり、消費者及び業者両方のポリ袋に対する使用意欲が低下しつつある。再生可能な紙袋は環境問題に対する大衆の懸念を解決することはできるが、コストが高すぎ、かつ、容器に低温の内容物を入れた際、紙袋が水濡れ等によって破れてしまうので、紙袋で容器を包む場合には様々な不便を伴うものであった。
【０００４】
従って、本発明は、社会において普遍的にポリ袋の使用削減を提唱する状況で、コストが低く、かつ利用者が便利に高温或いは低温の内容物を入れた容器を持ち上げることができる取っ手を提供することを目的とするものである。
【０００５】
本発明は、ベースを含み、前記ベースには少なくとも一個のカット部が開設され、前記ベースに二つの載せ部及び一つのグリップ部を形成させ、容器に結合することにより、容器の携行時における利便性を向上させる効果を有する容器を持つことができる取っ手を提供することを目的とするものである。
【０００６】
本発明はさらに、取っ手の利用コストを低減させる効果に達するために、容器に結合する前に前記ベースが平面状に形成される取っ手を提供することを目的とするものである。
【課題を解決するための手段】
【０００７】
上述した目的に達するために、本発明が運用する技術的手段は下記内容を含む。
【０００８】
本発明による取っ手は、ベースを含む取っ手であって、前記ベースは二つの端縁及び二つの側縁を含み、前記二つの端縁はそれぞれ前記ベースの両端に形成され、かつ前記各側縁の両端はそれぞれ前記二つの端縁に連接され、前記ベース上に二つのカット部が間隔を取って開設され、前記二つのカット部はそれぞれ前記ベースの一つの端縁に近接する位置から前記ベースのもう一つの端縁に近接する位置まで延伸し、かつ前記二つのカット部はそれぞれ前記二つの側縁と間隔を取って設置され、前記ベースが互いに直交する第一方向と第二方向とを有し、前記二つの端縁がそれぞれ前記ベースにて前記第一方向における両端に形成され、前記二つの側縁がそれぞれ前記ベースにて前記第二方向における両側に形成され、前記二つのカット部がそれぞれ前記第一方向に延伸し、かつ前記二つのカット部が前記第二方向にて前記二つの側縁と間隔を取って設置され、前記取っ手は、各前記側縁とそれに隣接するカット部との間に載せ部を形成し、かつ前記二つのカット部間にグリップ部を形成し、前記ベースの二つの端縁はそれぞれ補強部が連接され、前記補強部が同時に前記二つの載せ部及び前記グリップ部に結合される。
【０００９】
前記取っ手は、第一状態を有し、前記第一状態において、前記ベースが平面状に形成され、前記取っ手の二つの載せ部が前記第二方向に両側へ引っ張られ、前記取っ手を前記第一状態から第二状態へ変化させることができ、前記載せ部は、隣接するカット部に対向する側に載せ端縁が形成され、かつ、前記二つの載せ部の間に開口が形成されることを特徴とする。
【００１０】
前記取っ手は、容器に結合するのに用いられ、前記容器が拡径部を有し、前記拡径部が前記二つの載せ部と前記グリップ部の間に位置決めされ、前記二つの載せ部は前記容器の外表面に当接し、且つ前記二つの載せ部の載せ端縁がそれぞれ前記拡径部に係止することを特徴とする。
【００１１】
前記取っ手は、前記カット部の両端にそれぞれ延伸部が形成され、前記二つのカット部の延伸部の間隔が前記二つのカット部から隣接する端縁に向かって次第に広がるように、前記延伸部が前記第一方向に前記カット部から隣接する側縁へ延伸することを特徴とする。
【００１２】
前記取っ手は、前記ベースが紙からなり、前記第二状態において、前記載せ部において前記ベースの二つの端縁に近接する位置はそれぞれ折り目が形成され、前記カット部の両端にそれぞれ延伸部が形成され、前記二つのカット部の延伸部の間隔が前記二つのカット部から隣接する端縁に向かって次第に狭まるように、前記延伸部が前記第一方向に前記カット部から前記ベースの中央へ延伸することを特徴とする。
【００１３】
さらに、本発明による取っ手は、ベースを含む取っ手であって、前記ベースは二つの端縁及び二つの側縁を含み、前記二つの端縁はそれぞれ前記ベースの両端に形成され、かつ各前記側縁の両端はそれぞれ前記二つの端縁に連接され、前記ベース上にカット部が開設され、前記カット部は前記ベースの一つの端縁に近接する位置から前記ベースのもう一つの端縁に近接する位置まで延伸し、前記ベースの一つの端縁にグリップ部が結合され、前記ベースが互いに直交する第一方向と第二方向とを有し、前記二つの端縁がそれぞれ前記ベースにて前記第一方向における両端に形成され、前記二つの側縁がそれぞれ前記ベースにて前記第二方向における両側に形成され、前記カット部が前記第一方向に延伸し、前記カット部は前記第二方向における両側にそれぞれ載せ部が形成され、前記取っ手が第一状態を有し、前記第一状態において、前記ベースが平面状に形成され、前記ベースを環状構造に形成させるように、前記グリップ部が前記ベースのもう一つの端縁に結合することができ、かつ前記取っ手の二つの載せ部が前記第二方向に両側へ引っ張られ、前記取っ手を前記第一状態から第二状態へ変化させることができ、前記載せ部は、隣接するカット部に対向する側に載せ端縁が形成され、かつ、前記二つの載せ部間に開口が形成され、前記グリップ部において前記ベースから離れる端に第一結合部が設置され、前記ベースのもう一つの端縁に第二結合部が連接され、前記第一結合部と前記第二結合部とが互いに結合し、前記グリップ部を前記ベースのもう一つの端縁に結合させ、前記グリップ部を前記環状構造に形成させる。
【００１４】
前記取っ手は、容器に結合するのに用いられ、前記容器が拡径部を有し、前記拡径部が前記二つの載せ部と前記グリップ部の間に位置決めされ、前記二つの載せ部は前記容器の外表面に当接し、且つ前記二つの載せ部の載せ端縁がそれぞれ前記拡径部に係止する。
【００１５】
前記取っ手は、前記カット部の両端にそれぞれ案内孔が設置される。
【００１６】
前記取っ手は、前記カット部の両端にそれぞれ二つの先行折り線が連接され、かつ前記二つの先行折り線がそれぞれ前記第一方向に前記カット部から前記二つの側縁へ延伸し、前記第二状態において、前記二つの先行折り線が前記載せ部において前記ベースの二つの端縁に近接する位置にそれぞれ折り目を形成する。
【００１７】
前記取っ手は、前記ベースの二つの端縁にそれぞれ第一グリップ部及び第二グリップ部が結合され、前記第一グリップ部及び前記第二グリップ部にそれぞれ貫通孔が設置され、前記ベースを前記環状構造に形成させるように、前記第一グリップ部及び前記第二グリップ部が互いに位置合わせする。
【００１８】
前記取っ手は、前記第一グリップ部或いは前記第二グリップ部にソケットが設置され、かつ前記第二グリップ部の貫通孔の周縁に係止片が結合され、前記係止片が前記第一グリップ部の貫通孔を通過し、前記係止片に二つの貫通溝が開設され、前記二つの貫通溝がそれぞれ前記係止片を貫通する。
【００１９】
ベースを含む取っ手であって、前記ベースは二つの端縁及び二つの側縁を含み、前記二つの端縁はそれぞれ前記ベースの両端に形成され、かつ各前記側縁の両端はそれぞれ前記二つの端縁に連接され、前記ベース上にカット部が開設され、前記カット部は前記ベースの一つの端縁に近接する位置から前記ベースのもう一つの端縁に近接する位置まで延伸し、前記ベースの一つの端縁にグリップ部が結合され、前記ベースが互いに直交する第一方向と第二方向とを有し、前記二つの端縁がそれぞれ前記ベースにて前記第一方向における両端に形成され、前記二つの側縁がそれぞれ前記ベースにて前記第二方向における両側に形成され、前記カット部が前記第一方向に延伸し、前記カット部は前記第二方向における両側にそれぞれ載せ部が形成され、前記取っ手が第一状態を有し、前記第一状態において、前記ベースが平面状に形成され、前記ベースを環状構造に形成させるように、前記グリップ部が前記ベースのもう一つの端縁に結合することができ、かつ前記取っ手の二つの載せ部が前記第二方向に両側へ引っ張られ、前記取っ手を前記第一状態から第二状態へ変化させることができ、前記載せ部は、隣接するカット部に対向する側に載せ端縁が形成され、かつ、前記二つの載せ部間に開口が形成され、前記ベースに隔離溝が設置され、前記ベースは前記第二方向における両側にそれぞれカット部が開設され、各前記カット部は前記第二方向における両側にそれぞれ載せ部が形成される。
【００２０】
前記取っ手は容器に結合するのに用いられ、前記容器が拡径部を有し、前記拡径部が前記二つの載せ部と前記グリップ部との間に位置決めされ、前記二つの載せ部は前記容器の外表面に当接し、且つ前記二つの載せ部の載せ端縁がそれぞれ前記拡径部に係止する。
【００２１】
前記取っ手は、さらにもう一つのベースを含み、各前記ベースの二つの端縁にそれぞれ第三グリップ部及び第四グリップ部が結合され、前記第三グリップ部は差込隙間を有し、前記差込隙間は前記の第二方向に延伸して前記第三グリップ部を貫通し、前記第四グリップ部は貫通孔が設置され、前記二つのベースが結合される第四グリップ部は互いに連接し、かつ前記二つの第四グリップ部の連接箇所は中心線を形成し、前記二つの第四グリップ部を前記中心線に沿って折り合わせることができ、かつ前記二つの第四グリップ部はそれぞれ前記二つの第三グリップ部の差込隙間を通過することができ、前記二つの第四グリップ部の貫通孔が互いに位置合わせて前記二つのベースを前記環状構造に形成させる。
【００２２】
前記取っ手は、前記グリップ部は前記第二方向における両側にそれぞれ先行折り線が設置され、前記二つの先行折り線は開口がそれぞれ前記グリップ部の外側に向かう曲線状に形成され、前記グリップ部は前記二つの先行折り線の間に剥離線が設置される。
【発明の効果】
【００２３】
上記構造により、本発明の取っ手は第一状態を有し、利用者は前記二つの載せ部を両側へ引っ張り、前記取っ手を前記第一状態から第二状態へ変化させ、前記二つの載せ部の間に開口を形成させることにより、容器は前記開口を通過し、かつ前記容器の拡径部が前記二つの載せ部と前記グリップ部の間に位置決めされ、前記二つの載せ部がそれぞれ前記拡径部に係止し、前記取っ手を前記容器に結合させる。これにより、利用者は前記グリップ部を握るだけで、前記容器の外表面に接触することなく、前記取っ手により前記容器を持つことができ、容器の携行利便性を向上させる効果を有する。かつ、前記第一状態において、前記ベースが平面状に形成されるため、前記取っ手は容易に収納でき、かつ嵩張らないなどの利点を有し、前記取っ手の利用コストを低減させる効果を達成する。
【図面の簡単な説明】
【００２４】
【図１】本発明の第一実施例の外観概略図。
【図２】本発明の第一実施例のベースが第一状態から第二状態へ変化することを示す概略図。
【図３】本発明の第一実施例が容器に結合された使用状態の概略図。
【図４】本発明の第二実施例の外観概略図。
【図５】本発明の第二実施例の補強部に係る結合の概略図。
【図６】本発明の第二実施例が容器に結合された使用状態の概略図。
【図７】本発明の第三実施例の外観概略図。
【図８】本発明の第三実施例のベースが第一状態から第二状態へ変化することを示す概略図。
【図９】本発明の第三実施例が容器に結合された使用状態の概略図。
【図９ａ】本発明の第三実施例が容器に結合された部分の拡大概略図。
【図１０】本発明の第四実施例の外観概略図。
【図１１】本発明の第四実施例が容器に結合された使用状態の概略図。
【図１２】本発明の第三実施例が容器に結合された部分の拡大概略図。
【図１３】本発明の第五実施例の外観概略図。
【図１４】本発明の第五実施例が複数の容器に結合された使用状態の概略図。
【図１５】本発明の第五実施例に係るもう一つの実施形態の外観概略図。
【図１６】本発明の第五実施例が複数の瓶状容器に結合された使用状態の概略図。
【図１７】本発明の第六実施例の外観概略図。
【図１８】本発明の第六実施例が複数の瓶状容器に結合された使用状態の概略図。
【図１９】本発明の第七実施例の外観概略図。
【図２０】本発明の第七実施例が複数の瓶状容器に結合された使用状態の概略図。
【図２１】本発明の第八実施例の外観概略図。
【図２２】本発明の第八実施例が椀状の容器に結合された使用状態の概略図。
【図２２ａ】本発明の第八実施例が椀状の容器に結合された部分の拡大概略図。
【図２３】本発明の第八実施例について同方向に設置された係止片を含む第一結合部及び第二結合部が設置される外観の概略図。
【図２４】本発明の第八実施例について同方向に設置された係止片を含む第一結合部及び第二結合部が設置され、かつ椀状の容器に結合された使用状態の概略図。
【図２５】本発明の第八実施例について異なる方向に設置された係止片を含む第一結合部及び第二結合部が設置される外観の概略図。
【図２６】本発明の第八実施例について異なる方向に設置された係止片を含む第一結合部及び第二結合部が設置され、かつ椀状の容器に結合された使用状態の概略図。
【発明を実施するための形態】
【００２５】
本発明の実施の形態について、以下、図面を参照して説明する。
【実施例１】
【００２６】
図１に示されるように、本発明の第一実施例による取っ手１は第一状態を有し、この第一状態において、取っ手１はベース１１を含む。ベース１１は紙、プラスチック材料或いは不織布などの材質からなるものであってもよく、本発明はこれらに限定されるものではない。ベース１１はシート状構造であり、ベース１１は二つの端縁１１１及び二つの側縁１１２を含む。二つの端縁１１１はそれぞれベース１１の両端に形成され、かつ各側縁１１２の両端はそれぞれ二つの端縁１１１に連接される。ベース１１上に二つのカット部１２が開設される。二つのカット部１２はそれぞれベース１１の一つの端縁１１１に近接する位置からベース１１のもう一つの端縁１１１に近接する位置まで延伸し、かつ二つのカット部１２はそれぞれ記二つの側縁１１２と間隔を取って設置される。本実施例及び以下の各実施例において、カット部１２は裁断線をその実施形態として説明するが、カット部１２は隙間や溝であっても良いことは当業者が容易に想到できるので、本発明に述べられる「カット部」は裁断線に限定されるものではない。なお、二つのカット部１２はベースを貫通する裁断線であり、二つのカット部１２は互いに間隔を取って設置され、また、二つのカット部１２は互いに平行に設けられていても良い。
【００２７】
さらに詳しく述べると、ベース１１は互いに直交する第一方向Ｘと第二方向Ｙとを有する。二つの端縁１１１はそれぞれベース１１にて第一方向Ｘにおける両端に形成され、二つの側縁１１２はそれぞれベース１１にて第二方向Ｙにおける両側に形成される。二つのカット部１２はそれぞれ第一方向Ｘに沿って延伸し、かつ二つのカット部１２は第二方向Ｙにて二つの側縁１１２と間隔を取って設置される。これにより、取っ手１は各側縁１１２とそれに隣接するカット部１２との間に載せ部１３を形成することができ、かつ二つのカット部１２間にグリップ部１４を形成する。前記第一状態において、ベース１１は平面状に形成されるため、取っ手１は容易に収納でき、かつ嵩張らないなどの利点を有する。
【００２８】
上記構造を有する本発明の第一実施例による取っ手１を実際に使用する際、図２に示されるように、利用者は力を加えて取っ手１を第一状態から第二状態へ変化させることができる。より詳細に述べると、利用者は二つの載せ部１３を第二方向Ｙに沿って両側へ引っ張り、縦方向に（図面における）下方へひっくり返し、二つの載せ部１３をグリップ部１４から引き離す。それにより、載せ部１３は隣接するカット部１２に対向する側が縦方向に（図面における）上方へ直立して載せ端縁１３１を形成し、かつ二つの載せ部１３間に開口１３２が形成される。また、グリップ部１４と二つの載せ部１３とが縦方向にて間隔を形成するように、利用者は同時にグリップ部１４を縦方向に（図面における）上方へ引っ張ることができる。
【００２９】
図３に示されるように、取っ手１が力を受けて第二状態へ変化した後、取っ手１は容器Ｃに結合するのに用いることができる。さらに詳しく述べると、容器Ｃは拡径部Ｃ１を有し、拡径部Ｃ１は容器Ｃにおける比較的外径が大きい箇所（例えば、杯口の凸縁）であっても良い。利用者は力を加えることにより載せ部１３を両側へ拡げて、開口１３２の内径を拡径部Ｃ１の外径より大きくすることができるため、拡径部Ｃ１は開口１３２より二つの載せ部１３の間を通過し、二つの載せ部１３とグリップ部１４の間に位置決めすることができる。拡径部Ｃ１が開口１３２を通過した後、利用者は二つの載せ部１３に対して力を加えることを止めることにより、開口１３２の内径を拡径部Ｃ１の外径より小さく形成させることができる。これにより、二つの載せ部１３は容器Ｃの外表面に当接することができ、かつ二つの載せ部１３の載せ端縁１３１がそれぞれ拡径部Ｃ１に係止し、取っ手１を容器Ｃに結合させるすることができる。かくして、利用者はグリップ部１４を握るだけで、容器Ｃの外表面に接触することなく、取っ手１により容器Ｃを持つことができる。
【００３０】
注目すべきことは、容器Ｃに入れるものは、通常、ある程度の重量を有するため、利用者が取っ手１により容器Ｃを持つ際、容器Ｃ自体の重量によりグリップ部１４に作用する引き力を発生させる。二つの載せ部１３がグリップ部１４の両側に形成されているので、グリップ部１４がこの引き力を受ける際、二つの載せ部１３に開口１３２に向かう締め力を発生させ、容器Ｃの拡径部Ｃ１に係止している載せ端縁１３１をさらに拡径部Ｃ１に密接させる。言い換えると、利用者がグリップ部１４を持つ際に、容器Ｃがグリップ部１４に作用する引き力により、二つの載せ部１３に開口１３２に向かう締め力を発生させるため、二つの載せ部１３は両側から内部へ締めるように形成され、容器Ｃを取っ手１の載せ部１３に安定して位置決めさせるので、利用者は便利にグリップ部１４により容器Ｃを持つことができ、容器Ｃが取っ手１から外れる虞がない。
【００３１】
引き続き図１及び図３を参照すると、第一状態において、取っ手１はカット部１２の両端にそれぞれ延伸部１２１を形成することができ、本実施例において、延伸部１２１は、二つのカット部１２の延伸部１２１の間隔が二つのカット部１２から隣接する端縁１１１に向かって次第に広がるように、第一方向Ｘに沿ってカット部１２から隣接する側縁１１２へ延伸し、かつ延伸部１２１は曲線状に形成されても良い。これにより、ベース１１がプラスチック材料など（紙に比べて）折り目が付きにくい材料からなる場合、カット部１２に延伸部１２１を形成することにより、取っ手１を第二状態へ変化させて容器Ｃに結合させた後、載せ部１３においてベース１１の二つの端縁１１１に近接する位置となるべく容器Ｃに当接させ、取っ手１と容器Ｃとの結合強度を向上させることができる。
【００３２】
より重要なことは、延伸部１２１が設置されていない場合、グリップ部１４が受ける引き力はカット部１２の両端に第一方向Ｘに平行する分力を生成し、分力がカット部１２の両端を破裂させ、ひいてはカット部１２をベース１１の端縁１１１まで延伸させ、取っ手１を割ってしまうことが知られている。これに対し、本実施例において、延伸部１２１を隣接する側縁１１２へ延伸させ、かつ延伸部１２１とカット部１２との間に約９０°の夾角を形成させることにより、利用者がグリップ部１４を持つ際、グリップ部１４が受ける引き力がカット部１２の両端に第一方向Ｘと平行な分力を形成することを防ぐことができる。言い換えると、延伸部１２１を設置し、かつ延伸部１２１とカット部１２との間に約９０°の夾角を形成させることにより、利用者が取っ手１を持つ際、カット部１２の両端が受ける第一方向Ｘに平行な力を効果的に減少させるごとができるため、カット部１２の両端が破裂することを防ぐことができる。
【実施例２】
【００３３】
図４を参照すると、本発明の第二実施例による取っ手１と前記の第一実施例とが異なる点として、本実施例においては、取っ手１にてベース１１の二つの端縁１１１にそれぞれ補強部１５を連接している。補強部１５は同時に二つの載せ部１３及びグリップ部１４に結合することができる。より詳しく述べると、補強部１５は予め粘着などにより二つの載せ部１３及びグリップ部１４に結合する、或いは、図５に示されるように、取っ手１を実際に使用する際、補強部１５は、利用者が自ら補強部１５を端縁１１１に沿って折り曲げて、かつ粘着などにより二つの載せ部１３及びグリップ部１４に結合することができることにあり、本発明はこれらに限定されるものではない。
【００３４】
図６に示されるように、ベース１１が紙などのように力を受けた後に割れてしまうことがある材質から作製される場合、本実施例による取っ手１は補強部１５を設置し、かつ補強部１５を同時に二つの載せ部１３及びグリップ部１４に結合することにより、利用者が取っ手１により容器Ｃを持つ際、グリップ部１４が受ける引き力は二つの載せ部１３とグリップ部１４との境目位置に集中しにくくなる。これにより、補強部１５は取っ手１が割れてしまうことを効果的に防ぐことができる。
【００３５】
一方、本実施例において、ベース１１は紙などのような折り目が付きやすい材質から作製されても良いので、取っ手１を第二状態へ変化させて容器Ｃに結合した後、載せ部１３においてベース１１の二つの端縁１１１に近接する位置はそれぞれ折り目１３３を形成することができる。折り目１３３は自然に形成されるものであっても、予め載せ部１３に開設される先行折り線（図示せず）から形成されるものであっても良い。これにより、載せ部１３は、それに形成された二つの折り目１３３の間の部分が容器Ｃに密接することができ、載せ部１３において二つの折り目１３３の外側にある部分はグリップ部１４に連接されるのに用いられる。
【００３６】
注目すべきことは、取っ手１は同じくカット部１２の両端にそれぞれ延伸部１２１を形成することができるが、本実施例において、延伸部１２１は、二つのカット部１２の延伸部１２１の間隔が二つのカット部１２から隣接する端縁１１１に向かって次第に狭まるように、第一方向Ｘに沿ってカット部１２からベース１１の中央へ延伸し、延伸部１２１は同じく曲線状に形成されても良いことにある。これにより、カット部１２に延伸部１２１を形成することで、取っ手１を第二状態へ変化させて容器Ｃに結合させた後、載せ部１３は力を受ける際に容易に自然に折り目１３３を形成させることができる。本実施例において、延伸部１２１をベース１１の中央に向かって延伸させ、かつ延伸部１２１とカット部１２との間に約９０°の夾角を形成させることにより、利用者がグリップ部１４を持つ際に、カット部１２が受ける第一方向Ｘに平行な力を同様に効果的に減少させ、同様にカット部１２の両端が破裂することを防ぐことができる。
【実施例３】
【００３７】
図７に示される本発明の第三実施例による取っ手２は、同様な第一状態を有し、第一状態において、取っ手２はまたベース２１を含む。ベース２１は同様に二つの端縁２１１及び二つの側縁２１２を含み、二つの端縁２１１はそれぞれベース２１の両端に形成され、かつ各側縁２１２の両端はそれぞれ二つの端縁２１１に連接される。しかしながら、ベース２１上にはカット部２２が一つのみ開設されており、カット部２２はベース２１の一つの端縁２１１に近接する位置からベース２１のもう一つの端縁２１１に近接する位置まで延伸し、かつカット部２２がベース２１を貫通する裁断線である。また、ベース２１の一つの端縁２１１にグリップ２４が結合される。
【００３８】
より詳細に説明すると、本実施例におけるベース２１は互いに直交する第一方向Ｘと第二方向Ｙとを有し、二つの端縁２１１はそれぞれベース２１にて第一方向Ｘにおける両端に形成され、二つの側縁２１２はそれぞれベース２１にて第二方向Ｙにおける両側に形成される。カット部２２は第一方向Ｘに沿って延伸し、これにより取っ手２はカット部２２にて第二方向Ｙにおける両側にそれぞれ載せ部２３を形成することができる。第一状態において、ベース２１は同様に平面状に形成されるため、取っ手２も容易に収納でき、かつ嵩張らないなどの利点を有する。
【００３９】
上記構造を有することにより、図８に示されるように、ベース２１を環状構造に形成させるために、ベース２１に結合される一つの端縁２１１のグリップ部２４はベース２１のもう一つの端縁２１１に結合しても良い。なお、グリップ部２４とベース２１のもう一つの端縁２１１とはテープやステープルなど公知の結合手段により互いに結合する、或いは、本実施例においては、グリップ部２４においてベース２１から離れる端に第一結合部２４１を設置し、ベース２１のもう一つの端縁２１１に第二結合部２１３を連接することができる。第一結合部２４１或いは第二結合部２１３は粘着劑を塗布するのに用いることができ、これにより、第一及び第二結合部２４１、２１３を互いに粘着させ、グリップ部２４をベース２１のもう一つの端縁２１１に結合し、ベース１１を環状構造に形成させる。
【００４０】
本発明の第三実施例による取っ手２を実際に使用する際、前述した第一及び第二実施例と同様に、利用者は力を加えて取っ手２を第一状態から第二状態へ変化させることができる。より詳しく述べると、利用者は二つの載せ部２３を第二方向Ｙに沿って両側へ引っ張り、縦方向に（図面における）下方へひっくり返し、二つの載せ部２３の間に開口２３２を形成し、載せ部２３においてカット部２２に対向する側が縦方向に（図面における）上方へ直立して載せ端縁２３１を形成する。また、ベース２１は環状構造に形成されるので、グリップ部２４と二つの載せ部２３とが縦方向にて間隔を形成するように、利用者は同時にグリップ部２４を縦方向に（図面における）上方へ引っ張ることができる。
【００４１】
図９を併せて参照すると、取っ手２が力を受けて第二状態へ変化した後、取っ手２は容器Ｃに結合するのに用いることができる。さらに詳しく述べると、容器Ｃも拡径部Ｃ１を有し、利用者は力を加えることにより載せ部２３を両側へ拡げて、開口２３２の内径を拡径部Ｃ１の外径より大きくすることができるため、拡径部Ｃ１は開口２３２より二つの載せ部２３の間を通過し、二つの載せ部２３とグリップ部２４の間に位置決めすることができる。拡径部Ｃ１が開口２３２を通過した後、利用者は二つの載せ部２３に対して力を加えることを止めることにより、開口２３２の内径を拡径部Ｃ１の外径より小さく形成させことができ、これにより、図９ａに示されるように、二つの載せ部２３は容器Ｃの外表面に当接することができ、かつ二つの載せ部２３の載せ端縁２３１がそれぞれ拡径部Ｃ１に係止し、取っ手２を容器Ｃに結合させることができる。かくして、上述した第一及び第二実施例と同様に、利用者はグリップ部２４を握るだけで、容器Ｃの表面に接触することなく、取っ手２により前記容器Ｃを持つことができる。
【実施例４】
【００４２】
図１０を参照すると、本発明の第四実施例による取っ手２が第三実施例とが異なる点として、カット部２２の両端にそれぞれ案内孔２２１が設置される。案内孔２２１はベース２１を貫通する丸型の孔であることが好ましい。図１１及び図１２を併せて参照すると、案内孔２２１を設置することにより、二つの載せ部２３が両側へ引っ張られる際、案内孔２２１は二つの載せ部２３の境目に形成されるため、案内孔２２１は利用者が取っ手２により容器Ｃを持つ際、グリップ部２４が受ける引き力が二つの載せ部２３の境目位置に集中して応力集中点を形成することを防ぎ、さらにカット部２２が両端に向かって割れてしまうことを防ぐことができる。
【００４３】
さらに、カット部２２の両端はそれぞれ二つの先行折り線２２２を連接しても良い。より詳しく述べると、カット部２２の両端はそれぞれ先行折り線２２２を連接し、カット部２２のいずれか一端の先行折り線２２２はそれぞれその端の案内孔２２１に連接して設置することができ、かつ二つの先行折り線２２２はそれぞれ第一方向Ｘに沿ってカット部２２から二つの側縁２１２へ延伸する。これにより、取っ手２を第二状態へ変化させて容器Ｃに結合した後、先行折り線２２２は、載せ部２３においてベース２１の二つの端縁２１１に近接する位置にそれぞれ折り目２３３を形成することを促進することができる。これにより、載せ部２３は、それに形成された二つの折り目２３３の間の部分が容器Ｃに密接することができ、載せ部２３において二つの折り目２３３の外側にある部分はグリップ部２４に連接されるのに用いられる。
【００４４】
上述した本発明の第一、第二、第三及び第四実施例における取っ手１、２に結合される容器Ｃは、高温、常温或いは低温の内容物を入れるため、容器Ｃに低温の内容物を入れた場合、容器Ｃは空気に含まれた水分が凝縮することにより、水玉が容易に外表面に付着する。そのため、前記ベース１１、２１が紙などのような水との接触でその構造強度を低下させる可能性のある材質からなる場合、ベース１１、２１において容器Ｃに対向する表面にポリフィルム（図示せず）を設置しても良い。このフィルムはラミネート、粘着或いはホットボンドなどの手段によりベース１１、２１の表面に形成することができ、これにより水気を隔離する機能を提供し、ベース１１、２１が水に接触した後に発生する構造強度の低下を効果的に防ぐことは、当業者が容易に想到できるものである。
【実施例５】
【００４５】
図１３を参照すると、本発明の第五実施例による取っ手２と前述の第三実施例とが異なる点として、ベース２１の二つの端縁２１１はそれぞれ第一グリップ部２４ａ及び第二グリップ部２４ｂが結合され、第一グリップ部２４ａ及び第二グリップ部２４ｂにはそれぞれ貫通孔２４２が設置され、かつ第二グリップ部２４ｂの貫通孔２４２の周縁に係止片２４３を結合すること点にある。これにより、第一グリップ部２４ａ及び第二グリップ部２４ｂは互いに位置合わせして利用者が持つのに用いられ、ベース２１を環状構造に形成させることができる。
【００４６】
言い換えると、図１４に示されるように、本発明の第五実施例による取っ手２を実際に使用する際、利用者は第一グリップ部２４ａ及び第二グリップ部２４ｂを揃えて、第一及び第二グリップ部２４ａ、２４ｂの貫通孔２４２を互いに位置合わさせることができるので、利用者の手は第一及び第二グリップ部２４ａ、２４ｂの貫通孔２４２をそれぞれ通して第一及び第二グリップ部２４ａ、２４ｂを同時に持ち、ベース２１を環状構造に形成させることができる。また、第二グリップ部２４ｂの貫通孔２４２の周縁に結合される係止片２４３は第一グリップ部２４ａの貫通孔２４２を通過することができ、これにより第一及び第二グリップ部２４ａ、２４ｂを互いに結合して固定させる。
【００４７】
さらに、図１３及び図１４に示されるように、本実施例において、ベース２１は隔離溝２１４が設置される。隔離溝２１４はベース２１を貫通する長形の溝であり、ベース２１を第二方向Ｙにて二つの部分に分けるのに用いられる。なお、ベース２１において隔離溝２１４の両側に位置する部分はそれぞれカット部２２を開設することができるので、各カット部２２は同じく第二方向Ｙにおける両側にそれぞれ載せ部２３を形成することができ、ベース２１が隔離溝２１４に分けられた二つの部分をそれぞれ容器Ｃに結合させる。言い換えると、利用者は隔離溝２１４の両側に開設されるカット部２２を拡げ、カット部２２の両側の二つの載せ部２３を引き離し、さらに隔離溝２１４の両側にそれぞれ開口２３２を形成し、これにより二つの容器Ｃの拡径部Ｃ１を隔離溝２１４の両側の開口２３２を通過させ、二つの容器Ｃを同時に取っ手２に結合する。かくの如く、本発明の第四実施例による取っ手２は、複数の容器Ｃを同時に結合することができるので、利用者はグリップ部２４により複数の容器Ｃを同時に持つことができる。
【００４８】
図１５及び図１６に示されるように、本発明の第五実施例による取っ手のもう一つの実施形態は、上述した実施形態に比べ、ベース２１に開設されるカット部２２の第一方向Ｘにおける長さが短く、これにより、前述した実施例の取っ手２はいすれも杯状の容器Ｃを結合するのに用いられることに対し、この実施形態においては、ベース２１に開設されるカット部２２の長さが比較的に短いので、取っ手２は瓶状の容器Ｃ′を結合するのに用いることができる。さらに詳しく述べると、瓶状の容器Ｃ′の口径は小さいことが知られており、かつ瓶状の容器Ｃ′は拡径部Ｃ１′（例えば、瓶口の凸縁）を有するため、カット部２２の第一方向Ｘにおける長さが短いことにより、瓶状の容器Ｃ′の開口をカット部２２の両側の載せ部２３を通過させた後、二つの載せ部２３は依然として効果的に瓶状の容器Ｃ′の拡径部Ｃ１′に係止し、取っ手２を確実に瓶状の容器Ｃ′に結合させることができる。このことから分かるように、本発明の各実施例による取っ手１、２において、ベース１１、１２に開設されるカット部１２、２２の長さは、取っ手１、２を結合しようとする容器の口径の大きさによって調整できることは、当業者が理解して実施できるものである。
【実施例６】
【００４９】
図１７、１８を参照すると、本発明の第六実施例による取っ手２と前述の第五実施例とが異なる点として、第一グリップ部２４ａ或いは第二グリップ部２４ｂには貫通孔２４２を開設する以外に、ソケット２４４を設置してもよい。ソケット２４４はコーヒーフレッシュ、ガムシロップ或いはペットシュガーなどの小型容器Ｄを結合するのに用いられることができる。また、第二グリップ部２４ｂの貫通孔２４２の周縁に結合される係止片２４３に二つの貫通溝２４３ａを開設することができ、二つの貫通溝２４３ａはそれぞれ係止片２４３を貫通し、これにより係止片２４３が第一グリップ部２４ａの貫通孔２４２を通過した後、利用者はマドラー或いはストローなどの棒体Ｓを二つの貫通溝２４３ａにそれぞれ通過させ、棒体Ｓを前記２４３に結合させる。かくして、本発明の第六実施例による取っ手２は、ソケット２４４及び貫通溝２４３ａを設置することにより、様々の小型容器及びマドラーまたはストローなどの部品をまとめて取っ手２に固定し、取っ手２の機能の多様性を大幅に向上させることができる。また、棒体Ｓが二つの貫通溝２４３ａをそれぞれ通過する際、棒体Ｓは係止片２４３が第一グリップ部２４ａの貫通孔２４２から抜け出ることを防ぐことができるので、利用者が取っ手２を一旦放置しても、第一及び第二グリップ部２４ａ、２４ｂは依然として互いに安定して結合し、取っ手２の使用利便性をさらに向上させる。
【実施例７】
【００５０】
本発明の第七実施例によ係る取っ手２を図１９に示す。前述した第五及び第六実施例において、二つの容器を同時に持つことができる取っ手２の実施形態が掲示されているが、ベース２１に設置される隔離溝２１４及びカット部２２の数を共に増やすことにより、取っ手２が結合できる容器の数を増加できることは当業者が容易に想到できることである。しかしながら、利用者がより多く（例えば、６個）の容器を持とうとする場合、一つの取っ手２では必然的に需要を満たせなくなる。よって、本発明の第七実施例による取っ手２は二つのベース２１を含み、各ベース２１には二つの隔離溝２１４がそれぞれ設置され、これによりベース２１を第二方向Ｙにて三つの部分に分ける。ベース２１におけるこの三つの部分にはそれぞれカット部２２が開設され、かつベース２１の二つの端縁２１１にはそれぞれ第三グリップ部２４ｃ及び第四グリップ部２４ｄが結合される。なお、第三グリップ部２１ｃは差込隙間２４５を有し、差込隙間２４５は第二方向Ｙに沿って延伸して第三グリップ部２４ｃを貫通し、第四グリップ部２４ｄには貫通孔２４２が設置される。二つのベース２１が結合される第四グリップ部２４ｄは互いに連接し、かつ二つの第四グリップ部２４ｄの連接箇所は中心線２５を形成する。
【００５１】
第七実施例による取っ手２は前記実施例と同じく第一状態を有し、この第一状態において、二つのベース２１はいずれも平面状に形成される。図２０を併せて参照すると、第七実施例による取っ手２を実際に使用する際、利用者は取っ手１を第一状態から第二状態へ変化させるように力を加えてことができる。より詳しく述べると、まず、二つのベース２１が結合される第四グリップ部２４ｄを中心線２５に沿って縦方向に下方（図面における）へ折り合わせ、かつ二つのベース２１が結合される第三グリップ部２４ｃを前記縦方向に上方（図面における）へ折り曲げ、これにより二つの第四グリップ部２４ｄはそれぞれ二つの第三グリップ部２４ｃの差込隙間２４５を通過することができ、第七実施例による取っ手２の二つのベース２１を環状構造に形成させる。二つの第四グリップ部２４ｄはそれぞれ貫通孔２４２を有するので、二つの第四グリップ部２４ｄを中心線２５に沿って折り合わせた後、二つの第四グリップ部２４ｄの貫通孔２４２が互いに位置合わせするため、利用者は手を二つの第四グリップ部２４ｄの貫通孔２４２にそれぞれ通過して二つの第四グリップ部２４ｄを同時に持ち、ベース２１を環状構造に形成させることができる。利用者は二つのベース２１におけるそれぞれのカット部２２の両側に形成される載せ部２３を両側へ引っ張り、瓶状の容器Ｃ′を結合するのに用いることができ、これにより、第七実施例による取っ手２は六個の瓶状の容器Ｃ′を結合することができる。このことから分かるように、本発明の第七実施例による取っ手２は、二つのベース２１を組み合わせることにより、取っ手２が結合できる容器の数をより多くして、取っ手２が具備する機能をさらに完全なものとする。
【００５２】
さらに、第七実施例による取っ手２は、より多くの容器を結合するのに用いられるため、取っ手２に結合される容器の総重量が重くなる。そのため、第四グリップ部２４ｄの貫通孔２４２の両側それぞれにさらに差込孔２４６を設置してもよく、二つの第四グリップ部２４ｄを中心線２５に沿って折り合わせた後、二つの第四グリップ部２４ｄの差込孔２４６を互いに位置合わせする。これにより、利用者は紐Ｒを第四グリップ部２４ｄの各差込孔２４６にそれぞれ通過させ、紐Ｒにより取っ手２を持ち、利用者は便利に力を加えて取っ手２を持つことができ、また、紐Ｒは利用者が取っ手２をその他の物体に掛けるのに用いることができ、利用者が長時間にわたって取っ手２を持たなくても良いので、第七実施例による取っ手２は使用する際にさらなる活用性を有する。
【実施例８】
【００５３】
図２１、２２を参照すると、本発明の第八実施例による取っ手２と第三実施例との異なる点として、グリップ部２４の第二方向Ｙにおける両側にそれぞれ先行折り線２４７が設置されても良く、先行折り線２４７は曲線に形成されても良く、かつ二つの先行折り線２４７は開口がそれぞれグリップ部２４の外側に向かう曲線状に形成されることが好ましい。これにより、図２２ａに示されるように、二つの載せ部２３は容器Ｃの外表面に当接することができ、かつ二つの載せ部２３の載せ端縁２３１がそれぞれ椀状の容器Ｃ″の拡径部Ｃ１″に係止し、取っ手２を椀状の容器Ｃ″に結合させるすることができる。取っ手２が椀状の容器Ｃ″に結合されるのに用いられた場合、前記の杯状の容器Ｃ或いは瓶状の容器Ｃ′に比べ、通常、椀状の容器Ｃ″は高さが低く、かつ椀状の容器Ｃ″に入れられる内容物の重量が重いので、利用者がグリップ部２４を持つ際、椀状の容器Ｃ″の重心が不安定になることが起き易く、さらに椀状の容器Ｃ″に入れられる液状の内容物が飛び散ってしまうこともある。そのため、第八実施例による取っ手２は、グリップ部２４に開口がそれぞれグリップ部２４の外側に向かう曲線状の先行折り線２４７を設置することにより、利用者は二つの先行折り線２４７を押し、曲面を有するグリップにグリップ部２４を形成させるように、グリップ部２４を外側から裏に向って折り曲げ、これにより利用者は先行折り線２４７に形成された曲面を摘まむことにより椀状の容器Ｃ″を持ち、さらに安定して椀状の容器Ｃ″を持つことができる。
【００５４】
一方、グリップ部２４は二つの先行折り線２４７の間に剥離線２４８が設置されても良く、かつ剥離線２４８は剥離片２４８aを連接することができる。これにより、利用者が椀状の容器Ｃ″の内容物を取ろうとする際、剥離片２４８aを押して剥離片２４８aを凹ませ、剥離片２４８aが凹んだ位置を力を加える点とすることができ、利用者が力を加えてグリップ部２４を剥離線２４８に沿って裂くのに用いられ、取っ手２を椀状の容器Ｃ″から剥がし、利用者が便利に椀状の容器Ｃ″の内容物を取ることができる。
【００５５】
前記の第三及び第四実施例においては、グリップ部２４とベース２１とが第一及び第二結合部２４１、２１３により互いに粘着され、グリップ部２４をベース２１のもう一つの端縁２１１に結合させ、ベース２１を前述した環状構造に形成させる。しかしながら、本発明の一部の実施例において、グリップ部２４にてベース２１から離れる端に第一結合部２４１′を設置しても良く、ベース２１のもう一つの端縁２１１は第二結合部２１３′が連接され、なお、第一結合部２４１′及び第二結合部２１３′は互いに対応する係止構造である。さらに詳しく述べると、図２３及び図２４に示されるように、第一結合部２４１′は同方向に設置された二個で一組の係止片であり、第二結合部２１３′も同じく同方向に設置された二個で一組の係止片であり、これにより、第一及び第二結合部２４１′、２１３′は互いに位置合わせするように形成され、利用者は第一及び第二結合部２４１′、２１３′からなる係止片を押すだけで、第一及び第二結合部２４１′、２１３′を互いに係止して結合させ、ベース２１を環状構造に形成させることができる。或いは、図２５及び図２６に示されるように、第一及び第二結合部２４１′、２１３′が異なる方向に設置された二個で一組の係止片であり、異なる方向に設置された係止片を作製することは、取っ手２の構造の複雑度を増加させることになるが、利用者は第一及び第二結合部２４１′、２１３′からなる係止片を押すだけで、第一及び第二結合部２４１′、２１３′からなる異なる方向に設置された二個で一組の係止片は、第一及び第二結合部２４１′、２１３′の係止強度を向上させることができる。
【００５６】
よって、本発明の第三、第四及び第八実施例において、第一結合部２４１、２４１′及び第二結合部２１３、２１３′の結合方式については、粘着、係止結合或いはその他の従来の結合方式であってもよく、本発明はこれに限定されるものではない。
【００５７】
上述した構造を有することにより、本発明の第一から第八実施例による取っ手１、２の主な特徴としては下記のとおりである。
【００５８】
ベースを提供し、前記ベースは少なくとも一個のカット部を有し、前記カット部はベースに二つの載せ部及び一つのグリップ部を形成させることができる。前記取っ手は第一状態を有し、利用者は前記二つの載せ部を両側へ引っ張り、前記取っ手を第一状態から第二状態へ変化させ、二つの載せ部の間に開口を形成し、これにより容器は前記開口を通り、前記容器の拡径部は二つの載せ部とグリップ部の間に位置決めすることができ、前記二つの載せ部はそれぞれ拡径部に係止し、取っ手を容器に結合させることができる。
【００５９】
上述の説明から分かるように、本発明の各実施例による取っ手は、利用者がグリップ部を握るだけで、容器の外表面に接触することなく、取っ手により容器を持つことができるので、容器に高温のものを入れた場合に利用者が火傷してしまうことを防ぐことができるとともに、容器に低温のものを入れた場合に、容器の外表面に凝縮された水玉が付着して利用者の手を濡らすという不便を防ぐことができ、容器の携行利便性を向上させる効果を確実に達成する。
【００６０】
さらに、本発明の各実施例による取っ手は、容器に結合される前に、第一状態において、ベースが平面状に形成されるため、取っ手は容易に収納でき、かつ嵩張らないなどの利点を有し、取っ手の利用コストを低減させる効果を達成する。
【００６１】
以上により、本発明による取っ手は容器に結合するのに用いられ、利用者はグリップ部を握るだけで、容器の外表面に接触することなく、取っ手により容器を持つことができ、かつ取っ手を容器に結合する前は、ベースが平面状に形成されているため、容器の携行利便性を向上させ、取っ手の利用コストを低減させるなどの効果を達成する。
【符号の説明】
【００６２】
１        取っ手
１１      ベース
１１１    端縁
１１２    側縁
１２      カット部
１２１    延伸部
１３      載せ部
１３１    載せ端縁
１３２    開口
１３３    折り目
１４      グリップ部
１５      補強部
２        取っ手
２１      ベース
２１１    端縁
２１２    側縁
２１３    第二結合部
２１３′  第二結合部
２１４    隔離溝
２２      カット部
２２１    案内孔
２２２    先行折り線
２３      載せ部
２３１    載せ端縁
２３２    開口
２３３    折り目
２４      グリップ部
２４ａ    第一グリップ部
２４ｂ    第二グリップ部
２４ｃ    第三グリップ部
２４ｄ    第四グリップ部
２４１    第一結合部
２４１′  第一結合部
２４２    貫通孔
２４３    係止片
２４３ａ  貫通溝
２４４    ソケット
２４５    差込隙間
２４６    差込孔
２４７    先行折り線
２４８    剥離線
２４８ａ  剥離片
２５      中心線
Ｘ        第一方向
Ｙ        第二方向
Ｃ        容器
Ｃ１      拡径部
【国際調査報告】
2016531055.tif 000031
2016531055.tif 000032
2016531055.tif 000033
2016531055.tif 000034
2016531055.tif 000035
2016531055.tif 000036